(57)【要約】【課題】ビームフォーミングが行われる環境において端末装置のためにより望ましいセルを選択することを可能にする。【解決手段】ビームフォーミング用の重みセットを用いて対象基地局により送信された測定用のリファレンス信号の端末装置における受信電力を示す第１の受信電力情報、及び、ビームフォーミング用の重みセットを用いて他の基地局により送信された測定用のリファレンス信号の上記端末装置における受信電力を示す第２の受信電力情報を取得する取得部と、上記第１の受信電力情報及び上記第２の受信電力情報に基づいて、上記対象基地局により送信された上記リファレンス信号の上記端末装置における受信品質を算出する制御部と、を備える装置が提供される。【選択図】図１２
2015182292.tif 000002
【特許請求の範囲】
【請求項１】
ビームフォーミング用の重みセットを用いて対象基地局により送信された測定用のリファレンス信号の端末装置における受信電力を示す第１の受信電力情報、及び、ビームフォーミング用の重みセットを用いて他の基地局により送信された測定用のリファレンス信号の前記端末装置における受信電力を示す第２の受信電力情報を取得する取得部と、
前記第１の受信電力情報及び前記第２の受信電力情報に基づいて、前記対象基地局により送信された前記リファレンス信号の前記端末装置における受信品質を算出する制御部と、
を備える装置。
【請求項２】
前記取得部は、複数の他の基地局の各々についての前記第２の受信電力情報を取得し、
前記制御部は、前記第１の受信電力情報、及び前記複数の他の基地局の各々ついての前記第２の受信電力情報に基づいて、前記受信品質を算出する、
請求項１に記載の装置。
【請求項３】
前記制御部は、前記第１の受信電力情報により示される第１の受信電力と、前記複数の他の基地局の各々ついての前記第２の受信電力情報に基づいて算出される第２の受信電力とに基づいて、前記受信品質を算出する、請求項２に記載の装置。
【請求項４】
前記取得部は、２つ以上の重みセットの各々の前記第２の受信電力情報を取得し、
前記制御部は、前記第１の受信電力情報、及び、前記２つ以上の重みセットの各々の前記第２の受信電力情報に基づいて、前記受信品質を算出する、
請求項１に記載の装置。
【請求項５】
前記制御部は、前記第１の受信電力情報により示される第１の受信電力と、前記２つ以上の重みセットの各々の前記第２の受信電力情報に基づいて算出される第２の受信電力とに基づいて、前記受信品質を算出する、請求項４に記載の装置。
【請求項６】
前記取得部は、複数の他の基地局の各々についての、２つ以上の重みセットの各々の前記第２の受信電力情報を取得し、
前記制御部は、前記第１の受信電力情報、及び、前記複数の他の基地局の各々ついての、前記２つ以上の重みセットの各々の前記第２の受信電力情報に基づいて、前記受信品質を算出する、
請求項１に記載の装置。
【請求項７】
前記制御部は、前記第１の受信電力情報により示される第１の受信電力と、前記複数の他の基地局の各々ついての前記２つ以上の重みセットの各々の前記第２の受信電力情報に基づいて算出される第２の受信電力とに基づいて、前記受信品質を算出する、請求項６に記載の装置。
【請求項８】
前記２つ以上の重みセットは、他の重みセットよりも前記端末装置においてより大きい受信電力をもたらす重みセットである、請求項４に記載の装置。
【請求項９】
前記２つ以上の重みセットは、指定された重みセットである、請求項４に記載の装置。
【請求項１０】
前記他の基地局により用いられる前記重みセットは、他の重みセットよりも前記端末装置においてより大きい受信電力をもたらす重みセットである、請求項２に記載の装置。
【請求項１１】
前記他の基地局により用いられる前記重みセットは、指定された重みセットである、請求項２に記載の装置。
【請求項１２】
前記第２の受信電力は、前記第２の受信電力情報により示される受信電力の和である、請求項３に記載の装置。
【請求項１３】
前記制御部は、前記第１の受信電力及び前記第２の受信電力を用いた除算により、前記受信品質を算出する、請求項３に記載の装置。
【請求項１４】
ビームフォーミング用の重みセットを用いて対象基地局により送信された測定用のリファレンス信号の端末装置における受信電力を示す第１の受信電力情報、及び、物理ダウンリンク制御チャネルが配置されるシンボル内で送信される信号の前記端末装置における受信電力を示す第２の受信電力情報を取得する取得部と、
前記第１の受信電力情報及び前記第２の受信電力情報を用いて、前記対象基地局により送信された前記リファレンス信号の前記端末装置における受信品質を算出する制御部と、
を備える装置。
【請求項１５】
前記制御部は、前記第１の受信電力情報により示される前記受信電力と前記第２の受信電力情報により示される前記受信電力とを用いた除算により、前記受信品質を算出する、請求項１４に記載の装置。
【請求項１６】
ビームフォーミング用の重みセットを用いて基地局により送信された測定用のリファレンス信号の端末装置における受信電力を示す受信電力情報を取得する取得部と、
前記受信電力情報を基地局に提供する制御部と、
を備える装置。
【請求項１７】
前記取得部は、物理ダウンリンク制御チャネルが配置されるシンボル内で送信される信号の前記端末装置における受信電力を示すさらなる受信電力情報を取得し、
前記制御部は、前記さらなる受信電力情報を前記基地局にさらに提供する、
請求項１６に記載の装置。
【請求項１８】
前記装置は、前記端末装置、又は前記端末装置のためのモジュールである、請求項１に記載の装置。
【請求項１９】
前記装置は、基地局、基地局のための基地局装置、又は当該基地局装置のためのモジュールである、請求項１に記載の装置。
【請求項２０】
前記ビームフォーミングは、ラージスケールＭＩＭＯのビームフォーミングである、請求項１に記載の装置。
【発明の詳細な説明】
【技術分野】
【０００１】
本開示は、装置に関する。
【背景技術】
【０００２】
現在、３ＧＰＰ（Third  Generation  Partnership  Project）では、爆発的に増加するトラフィックを収容するために、セルラーシステムの容量を向上するための様々な技術が検討されている。将来、現在の１０００倍程度の容量が必要とも言われている。ＭＵ−ＭＩＭＯ（Multi-User  Multi-Input  Multiple-Input  Multiple-Output）及びＣｏＭＰ（Coordinated  Multipoint）などの技術では、セルラーシステムの容量は数倍程度しか増加しないと考えられる。そのため、画期的な手法が求められている。【０００３】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ、又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。【０００４】
なお、ビームフォーミングについての様々な技術が提案されている。例えば、特許文献１には、上りチャネルと下りチャネルとの周波数帯域が異なる場合であっても基地局によるビームフォーミングを実現する技術が、開示されている。
【先行技術文献】
【特許文献】
【０００５】
【特許文献１】特開２０１１−００４０５６
【発明の概要】
【発明が解決しようとする課題】
【０００６】
しかし、ビームフォーミングが行われる場合には、リファレンス信号の受信品質（例えば、ＲＳＲＱ（Reference  Signal  Received  Signal））が大きく変動し得る。例えば、他の基地局からの干渉は、当該他の基地局がビームフォーミングのためにどの重みセットを使用するかによって、大きく変動し得る。そのため、例えば、ＲＳＳＩ（Received  Signal  Strength  Indicator）は大きく変動し、ＲＳＲＱも大きく変動する。とりわけ、上記ビームフォーミングが、ラージスケール（Large-Scale）ＭＩＭＯ又はマッシブ（Massive）ＭＩＭＯのビームフォーミングである場合には、ＲＳＲＱは非常に大きく変動する可能性がある。その結果、例えば、端末装置が無線通信を行うセル（例えば、ハンドオーバのターゲットセル）として望ましくないセルが選択され得る。【０００７】
そこで、ビームフォーミングが行われる環境において端末装置のためにより望ましいセルを選択することを可能にする仕組みが提供されることが望ましい。
【課題を解決するための手段】
【０００８】
本開示によれば、ビームフォーミング用の重みセットを用いて対象基地局により送信された測定用のリファレンス信号の端末装置における受信電力を示す第１の受信電力情報、及び、ビームフォーミング用の重みセットを用いて他の基地局により送信された測定用のリファレンス信号の上記端末装置における受信電力を示す第２の受信電力情報を取得する取得部と、上記第１の受信電力情報及び上記第２の受信電力情報に基づいて、上記対象基地局により送信された上記リファレンス信号の上記端末装置における受信品質を算出する制御部と、を備える装置が提供される。【０００９】
また、本開示によれば、ビームフォーミング用の重みセットを用いて対象基地局により送信された測定用のリファレンス信号の端末装置における受信電力を示す第１の受信電力情報、及び、物理ダウンリンク制御チャネルが配置されるシンボル内で送信される信号の上記端末装置における受信電力を示す第２の受信電力情報を取得する取得部と、上記第１の受信電力情報及び上記第２の受信電力情報を用いて、上記対象基地局により送信された上記リファレンス信号の上記端末装置における受信品質を算出する制御部と、を備える装置が提供される。【００１０】
また、本開示によれば、ビームフォーミング用の重みセットを用いて基地局により送信された測定用のリファレンス信号の端末装置における受信電力を示す受信電力情報を取得する取得部と、上記受信電力情報を基地局に提供する制御部と、を備える装置が提供される。
【発明の効果】
【００１１】
以上説明したように本開示によれば、ビームフォーミングが行われる環境において端末装置のためにより望ましいセルを選択することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１２】
【図１】ラージスケールＭＩＭＯのビームフォーミング用の重みセットを説明するための説明図である。
【図２】重み係数の乗算とリファレンス信号の挿入との関係を説明するための説明図である。
【図３】本開示の実施形態に係る通信システムの概略的な構成の一例を示す説明図である。
【図４】ラージスケールＭＩＭＯのビームフォーミングの例を説明するための第１の説明図である。
【図５】ラージスケールＭＩＭＯのビームフォーミングの例を説明するための第２の説明図である。
【図６】異なる重みセットを乗算された測定用のリファレンス信号の送信の第１の例を説明するための説明図である。
【図７】異なる基地局による測定用のリファレンス信号の送信の第１の例を説明するための説明図である。
【図８】異なる基地局による測定用のリファレンス信号の送信の第２の例を説明するための説明図である。
【図９】異なる重みセットを乗算された測定用のリファレンス信号の送信の第２の例を説明するための説明図である。
【図１０】測定用のリファレンス信号への重み係数の乗算を説明するための説明図である。
【図１１】第１の実施形態に係る端末装置の構成の一例を示すブロック図である。
【図１２】第１の実施形態に係る処理の概略的な流れの一例を示すフローチャートである。
【図１３】第２の実施形態に係る端末装置の構成の一例を示すブロック図である。
【図１４】第２の実施形態に係る基地局の構成の一例を示すブロック図である。
【図１５】第２の実施形態に係る処理の概略的な流れの一例を示すシーケンス図である。
【図１６】第３の実施形態に係る端末装置の構成の一例を示すブロック図である。
【図１７】第３の実施形態に係る処理の概略的な流れの一例を示すフローチャートである。
【図１８】第４の実施形態に係る端末装置の構成の一例を示すブロック図である。
【図１９】第４の実施形態に係る基地局の構成の一例を示すブロック図である。
【図２０】第４の実施形態に係る処理の概略的な流れの一例を示すシーケンス図である。
【図２１】ｅＮＢの概略的な構成の第１の例を示すブロック図である。
【図２２】ｅＮＢの概略的な構成の第２の例を示すブロック図である。
【図２３】スマートフォンの概略的な構成の一例を示すブロック図である。
【図２４】カーナビゲーション装置の概略的な構成の一例を示すブロック図である。
【発明を実施するための形態】
【００１３】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置１００Ａ、１００Ｂ及び１００Ｃのように区別する。ただし、実質的に同一の機能構成を有する複数の要素の各々を特に区別する必要がない場合、同一符号のみを付する。例えば、端末装置１００Ａ、１００Ｂ及び１００Ｃを特に区別する必要が無い場合には、単に端末装置１００と称する。
【００１５】
なお、説明は以下の順序で行うものとする。
１．はじめに
２．通信システムの概略的な構成
３．リファレンス信号の送信
４．第１〜第４の実施形態の共通点と相違点
５．第１の実施形態
５．１．端末装置の構成
５．２．受信品質の算出手法
５．３．処理の流れ
６．第２の実施形態
６．１．端末装置の構成
６．２．基地局の構成
６．３．受信品質の算出手法
６．４．処理の流れ
７．第３の実施形態
７．１．端末装置の構成
７．２．受信品質の算出手法
７．３．処理の流れ
８．第４の実施形態
８．１．端末装置の構成
８．２．基地局の構成
８．３．受信品質の算出手法
８．４．処理の流れ
９．応用例
９．１．基地局に関する応用例
９．２．端末装置に関する応用例
１０．まとめ
【００１６】
＜＜１．はじめに＞＞
まず、図１及び図２を参照して、ビームフォーミング、測定（measurements）、及びセルの選択を説明する。
【００１７】
（ビームフォーミング）
（ａ）ラージスケールＭＩＭＯの必要性
現在、３ＧＰＰでは、爆発的に増加するトラフィックを収容するために、セルラーシステムの容量を向上するための様々な技術が検討されている。将来、現在の１０００倍程度の容量が必要とも言われている。ＭＵ−ＭＩＭＯ及びＣｏＭＰなどの技術では、セルラーシステムの容量は数倍程度しか増加しないと考えられる。そのため、画期的な手法が求められている。
【００１８】
３ＧＰＰのリリース１０では、ｅＮｏｄｅＢが８本のアンテナを搭載することが規格化されている。よって、当該アンテナによれば、ＳＵ−ＭＩＭＯ（Single-User  Multi-Input  Multiple-Input  Multiple-Output）の場合に８レイヤのＭＩＭＯを実現することができる。８レイヤのＭＩＭＯとは、独立な８つのストリームを空間的に多重する技術である。また、４ユーザに２レイヤのＭＵ−ＭＩＭＯを実現することもできる。
【００１９】
ＵＥ（User  Equipment）ではアンテナの配置のためのスペースが小さいこと、及びＵＥの処理能力には限界があることに起因して、ＵＥのアンテナのアンテナ素子を増やすことは難しい。しかし、近年のアンテナ実装技術の進歩により、１００個程度のアンテナ素子を含む指向性アンテナをｅＮｏｄｅＢに配置することは不可能ではなくなってきている。
【００２０】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。例えば、基地局よりも高い位置（例えば、高層ビルの上層階）に向けたビームを形成することにより、当該位置に存在する端末装置への信号を送信することが、提案されている。
【００２１】
典型的なビームフォーミングでは、水平方向でビームの方向を変えることが可能である。そのため、当該典型的なビームフォーミングは、２次元ビームフォーミングとも言える。一方、ラージスケールＭＩＭＯ（又はマッシブＭＩＭＯ）のビームフォーミングでは、水平方向に加えて垂直方向にもビームの方向を変えることが可能である。そのため、ラージスケールＭＩＭＯのビームフォーミングは、３次元ビームフォーミングとも言える。
【００２２】
なお、アンテナ本数が増えるので、ＭＵ−ＭＩＭＯでのユーザ数を増やすことが可能になる。このような技術は、ラージスケールＭＩＭＯ又はマッシブＭＩＭＯと呼ばれる技術の別の形態である。なお、ＵＥのアンテナ数が２本である場合には、１つのＵＥについての空間的に独立したストリームの数は２本であるので、１つのＵＥについてのストリーム数を増やすよりも、ＭＵ−ＭＩＭＯのユーザ数を増やす方が合理的である。
【００２３】
（ｂ）重みセット
ビームフォーミング用の重みセット（即ち、複数のアンテナ素子のための重み係数のセット）は、複素数として表される。以下、図１を参照して、とりわけラージスケールＭＩＭＯのビームフォーミング用の重みセットの例を説明する。
【００２４】
図１は、ラージスケールＭＩＭＯのビームフォーミング用の重みセットを説明するための説明図である。図１を参照すると、格子状に配置されたアンテナ素子が示されている。また、アンテナ素子が配置された平面上の直行する２つの軸ｘ、ｙ、及び、当該平面に直行する１つの軸ｚも示されている。ここで、形成すべきビームの方向は、例えば、角度phi（ギリシャ文字）及び角度theta（ギリシャ文字）で表される。角度phi（ギリシャ文字）は、ビーム方向のうちのｘｙ平面の成分とｘ軸とのなす角度である。また、角度theta（ギリシャ文字）は、ビーム方向とｚ軸とのなす角度である。この場合に、例えば、ｘ軸方向においてｍ番目に配置され、ｙ軸方向においてｎ番目に配置されるアンテナ素子の重み係数Ｖｍ，ｎは、以下のように表され得る。
【００２５】
【数１】
2015182292.tif 000003
【００２６】
ｆは周波数であり、ｃは光速である。また、ｊは複素数における虚数単位である。また、ｄｘは、ｘ軸方向におけるアンテナ素子の間隔であり、ｄｙは、ｙ軸方向におけるアンテナ素子間の間隔である。なお、アンテナ素子の座標は、以下のように表される。
【００２７】
【数２】
2015182292.tif 000004
【００２８】
なお、典型的なビームフォーミング（２次元ビームフォーミング）用の重みセットは、所望の水平方向へのビームを形成するための重みセットと、アンテナ間の移送の調整のための重みセットとに分解され得る。そのため、ラージスケールＭＩＭＯのビームフォーミング用の重みセットは、所望の垂直方向へのビームを形成するための第１の重みセットと、所望の水平方向へのビームを形成するための第２の重みセットと、アンテナ間の移送の調整のための第３の重みセットとに分解され得る。
【００２９】
（ｃ）ラージスケールＭＩＭＯのビームフォーミングによる環境の変化
ラージスケールＭＩＭＯのビームフォーミングが行われる場合には、利得は１０ｄＢ以上に達する。上記ビームフォーミングを採用するセルラーシステムでは、従来のセルラーシステムと比べて、電波環境の変化が激しくなり得る。
【００３０】
（ｄ）ラージスケールＭＩＭＯのビームフォーミングが行われるケース
例えば、都市部の基地局が高層ビルに向けたビームを形成することが考えられる。また、郊外であっても、スモールセルの基地局が当該基地局の周辺のエリアに向けたビームを形成することが考えられる。なお、郊外のマクロセルの基地局はラージスケールＭＩＭＯのビームフォーミングを行わない可能性が高い。
【００３１】
（測定）
（ａ）ＣＲＳについての測定
ＬＴＥ（Long  Term  Evolution）では、端末装置は、基地局により送信されるＣＲＳ（Cell-specific  Reference  Signal）についての測定を行う。具体的には、端末装置は、基地局により送信されるＣＲＳの受信により、当該基地局と当該端末装置との間の伝搬路の品質の測定を行う。この測定は、「ＲＲＭ（Radio  Resource  Management）測定」、又は単に「測定（measurements）」と呼ばれる。
【００３２】
上記測定の結果は、端末装置のためのセルを選択するために使用される。具体的には、例えば、上記測定の結果は、ＲＲＣ（Radio  Resource  Control）アイドル（RRC  Idle）である端末装置によるセル選択（Cell  Selection）／セル再選択（cell  reselection）に使用される。また、例えば、上記測定の結果は、ＲＲＣ接続（RRC  Connected）である端末装置により基地局に報告され、当該基地局によるハンドオーバ決定（Handover  Decision）に使用される。
【００３３】
上述したように、上記測定は、ＣＲＳの受信により行われる。ＣＲＳは、無指向性の電波の伝送路の品質を測定するための信号であるので、ビームフォーミングなしで送信される。即ち、ＣＲＳは、ビームフォーミング用の重みセットを乗算されずに送信される。
【００３４】
なお、ＤＭ−ＲＳ（Demodulation  Reference  Signal）又はＵＥ固有リファレンス信号（UE  specific  Reference  Signal）と呼ばれる復調用のリファレンス信号もある。当該復調用のリファレンス信号は、ビームフォーミング用の重みセットを乗算されるので、無指向性の電波の伝送路の品質を測定するのには望ましくない。また、ＣＳＩ−ＲＳ（Channel  State  Information  Reference  Signal）と呼ばれるリファレンス信号もある。ＣＳＩ−ＲＳは、ＣＲＳと同様に、ビームフォーミングなしで送信される。しかし、ＣＳＩ−ＲＳの送信頻度が低いので、ＣＳＩ−ＲＳの受信による測定には長い時間がかかる。以下、図２を参照して、重み係数の乗算とリファレンス信号の挿入（又はマッピング）との関係を説明する。
【００３５】
図２は、重み係数の乗算とリファレンス信号の挿入との関係を説明するための説明図である。図２を参照すると、各アンテナ素子９１に対応する送信信号９２は、乗算器９４において重み係数９３を複素乗算される。そして、重み係数９３を複素乗算された送信信号９２が、アンテナ素子９１から送信される。また、ＤＲ−ＭＳ９５は、乗算器９４の前に挿入され、乗算器９４において重み係数９３が複素乗算される。そして、重み係数９３が複素乗算されたＤＲ−ＭＳ９５が、アンテナ素子９１から送信される。一方、ＣＲＳ９６（及びＣＳＩ−ＲＳ）は、乗算器９４の後に挿入される。そして、ＣＲＳ９６（及びＣＳＩ−ＲＳ）は、重み係数９３を乗算されることなく、アンテナ素子９１から送信される。
【００３６】
（ｂ）ＲＳＲＰ及びＲＳＲＱ
ＬＴＥでは、ＣＲＳについての測定は、ＲＳＲＰ（Reference  Signal  Received  Power）及び／又はＲＳＲＱ（Reference  Signal  Received  Quality）の測定である。換言すると、端末装置は、ＣＲＳについての測定の結果として、ＲＳＲＰ及び／又はＲＳＲＱを取得する。ＲＳＲＱは、ＲＳＲＰとＲＳＳＩ（Received  Signal  Strength  Indicator）から算出される。
【００３７】
ＲＳＲＰは、単一のリソースエレメントあたりのＣＲＳの受信電力である。即ち、ＲＳＲＰは、ＣＲＳの受信電力の平均値である。ＣＲＳの受信電力は、ＣＲＳのリソースエレメントにおける受信信号と既知信号であるＣＲＳとの相関の検出により得られる。ＲＳＲＰは、所望信号「Ｓ（Signal）」に対応する。
【００３８】
ＲＳＳＩは、ＯＦＤＭＡ（Orthogonal  Frequency  Division  Multiple  Access）シンボルあたりの信号の総電力である。そのため、ＲＳＳＩは、所望信号、干渉信号及び雑音を含む。即ち、ＲＳＳＩは、「Ｓ（Signal）＋Ｉ（Interference）＋Ｎ（Noise）」に対応する。
【００３９】
ＲＳＲＱは、ＲＳＲＰ／（ＲＳＳＩ／Ｎ）である。Ｎは、ＲＳＳＩの算出に用いられるリソースブロックの数である。当該リソースブロックは、周波数方向に並ぶリソースブロックである。したがって、ＲＳＲＱは、リソースブロック１個あたりのＲＳＳＩでＲＳＲＰを割ることにより得られる値である。即ち、ＲＳＲＱは、ＳＩＮＲ（Signal-to-Interference-plus-Noise  Ratio）に対応する。
【００４０】
以上のように、ＣＲＳについての測定により、受信電力（即ち、ＲＳＲＰ）と、ＳＩＮＲのような受信品質（即ち、ＲＳＲＱ）とが得られる。
【００４１】
（ｃ）平均化による効果
ＲＳＲＰ及びＲＳＲＱを取得するためには、数ミリ秒から数十ミリ秒にわたって信号を受信し、受信電力の平均化を行う必要がある。１スロット又は１サブセットのみの平均化によりＲＳＲＰ及びＲＰＲＱを取得すると、フェージングなどのチャネルの瞬間的な変動に影響されやすくなるからである。
【００４２】
なお、上記平均化の手法は、端末装置ごとに実装されるのであり、規格において具体的に定められていない。
【００４３】
（セルの選択）
（ａ）セルの選択の例
例えば、端末装置は、ＲＲＣアイドル（RRC  Idle）である場合に、セル選択（Cell  Selection）／セル再選択（cell  reselection）を行う。即ち、端末装置は、通信を行うためのセル（例えば、ページングの受信のためのセル）を選択する。
【００４４】
また、例えば、基地局は、ハンドオーバ決定（Handover  Decision）を行う。即ち、基地局は、端末装置のためのターゲットセルを選択し、端末装置のためのサービングセルから上記ターゲットセルへのハンドオーバを決定する。
【００４５】
また、例えば、基地局は、キャリアアグリゲーションのＳｃｅｌｌ（Secondary  Cell）の追加を行う。当該Ｓｃｅｌｌは、ＳＣＣ（Secondary  Component  Carrier）とも呼ばれる。
【００４６】
なお、ここでの「セル」は、基地局の通信エリアを意味してもよく、又は基地局が使用する周波数帯域を意味してもよい。また、ここでの「セル」は、キャリアアグリゲーションのＰｃｅｌｌ（Primary  Cell）又はＳｃｅｌｌであってもよい。上記Ｐｃｅｌｌは、ＰＣＣ（Primary  Component  Carrier）とも呼ばれ、上記Ｓｃｅｌｌは、ＳＣＣ（Secondary  Component  Carrier）とも呼ばれる。
【００４７】
（ｂ）ビームフォーミングが行われる場合のセルの選択
上述したように、ラージスケールＭＩＭＯ又はマッシブＭＩＭＯと呼ばれる技術の一形態では、基地局は、多数のアンテナ素子（例えば、１００個程度のアンテナ素子）を含む指向性アンテナを使用してビームフォーミングを行う。この場合に、基地局は、水平方向のみではなく垂直方向にもビームの方向を変えることができる。そのため、一例として、基地局は、基地局よりも高い位置（例えば、高層ビルの上層階）に向けたビームを形成することにより、高い位置でのスループットを向上させることができる。別の例として、小型の基地局は、近傍のエリアへのビームを形成することにより、隣接基地局との間の干渉を減らすことができる。
【００４８】
ここで、ラージスケールＭＩＭＯのビームフォーミングによる信号の送受信が主流になった場合に、ＣＲＳについての測定の結果に基づいてセルの選択が行われてよいのかという疑問が生じる。
【００４９】
具体的には、ＣＲＳについての測定から分かるのは、あくまで、無指向性の電波の伝送路の品質である。しかし、無指向性の電波の伝送路は、ラージスケールＭＩＭＯのビームフォーミングにより形成される鋭いビームの伝送路とは全く異なる。そのため、当該ビームフォーミングによる信号の送受信が前提である場合には、ＣＲＳについての測定の結果に基づくセルの選択では、適切なセルが選択されない可能性がある。
【００５０】
一例として、ＣＲＳの測定の結果に基づいて選択されたセルで端末装置が信号を送受信すると、隣接基地局からの鋭いビームにより大きい干渉が発生してしまう可能性がある。別の例として、あるセルについてのＣＲＳの測定の結果が、別のセルについてのＣＲＳの測定の結果よりも良好であったとしても、ビームフォーミングが行われる場合には、上記別のセルでの通信品質の方が上記あるセルでの通信品質よりも良好である可能性もある。
【００５１】
以上のように、ビームフォーミングが行われる場合に端末装置のために適切なセルが選択されない可能性がある。
【００５２】
（ｃ）ＣＲＳについての測定が望ましくないケース
上述したように、例えば、ラージスケールＭＩＭＯのビームフォーミングは都市部の基地局又はスモールセルの基地局により行われると考えられる。そのため、これらの基地局のセルの選択がＣＲＳについての測定に基づいて行われることは望ましくない。
【００５３】
＜＜２．通信システムの概略的な構成＞＞
続いて、図３〜図５を参照して、本開示の実施形態に係る通信システム１の概略的な構成を説明する。図３は、本開示の実施形態に係る通信システム１の概略的な構成の一例を示す説明図である。図３を参照すると、通信システム１は、端末装置１００及び基地局２００を含む。通信システム１は、例えば、ＬＴＥ、ＬＴＥ−Ａｄｖａｎｃｅｄ、又はこれらに準ずる通信規格に準拠したシステムである。
【００５４】
（端末装置１００）
端末装置１００は、基地局との無線通信を行う。例えば、端末装置１００は、基地局２００の通信エリア内に位置する場合に、基地局２００との無線通信を行う。
【００５５】
（基地局２００）
基地局２００は、端末装置との無線通信を行う。例えば、基地局２００は、基地局２００の通信エリア内に位置する端末装置（例えば、端末装置１００を含む）との無線通信を行う。
【００５６】
（ビームフォーミングが行われる環境）
とりわけ本開示の実施形態では、基地局（例えば、基地局２００を含む）により、ビームフォーミングが行われる。例えば、端末装置１００の周辺に位置する基地局により、ビームフォーミングが行われる。例えば、上記ビームフォーミングは、ラージスケールＭＩＭＯのビームフォーミングである。当該ビームフォーミングは、マッシブＭＩＭＯのビームフォーミング、又は３次元ビームフォーミングとも呼ばれ得る。
【００５７】
具体的には、例えば、上記基地局（例えば、基地局２００）は、ラージスケールＭＩＭＯに使用可能な指向性アンテナを備える。また、当該基地局は、当該指向性アンテナのための重みセットを送信信号に乗算することにより、ラージスケールＭＩＭＯのビームフォーミングを行う。例えば、当該重みセットは端末装置（例えば、端末装置１００）ごとに決定される。その結果、当該端末装置に向けたビームが形成される。以下、図４及び図５を参照して、ラージスケールＭＩＭＯのビームフォーミングの例を説明する。
【００５８】
図４は、ラージスケールＭＩＭＯのビームフォーミングの例を説明するための第１の説明図である。図４を参照すると、ラージスケールＭＩＭＯに使用可能な指向性アンテナ２０１が示されている。指向性アンテナ２０１は、所望の３次元方向への鋭いビームを形成することができる。例えば、指向性アンテナ２０１によりビーム２１Ａ及びビーム２１Ｂが形成される。
【００５９】
図５は、ラージスケールＭＩＭＯのビームフォーミングの例を説明するための第２の説明図である。図５を参照すると、図４を参照して説明したビーム２１Ａ、２１Ｂが示されている。例えば、ビーム２１Ａはエリア２３Ａに到達し、ビーム２１Ｂはエリア２３Ｂに到達する。そのため、エリア２３Ａ内に位置する端末装置１００Ａは、ビーム２１Ａとして送信される信号を受信することができる。また、エリア２３Ｂ内に位置する端末装置１００Ｂは、ビーム２１Ｂとして送信される信号を受信することができる。基地局２００は、端末装置１００Ａ宛の信号をビーム２１Ａとして送信し、端末装置１００Ｂ宛の信号をビーム２１Ｂとして送信する。
【００６０】
なお、上記基地局（例えば、基地局２００）は、例えば、ビームフォーミングを行わずに信号を送信することができる。一例として、上記基地局は、無指向性アンテナを備え、無指向性の電波として信号を送信する。別の例として、上記基地局は、セクタアンテナを備え、セクタビームとして信号を送信してもよい。
【００６１】
＜＜３．リファレンス信号の送信＞＞
続いて、図６〜図１０を参照して、本開示の実施形態におけるリファレンス信号の送信の例を説明する。
【００６２】
とりわけ、本開示の実施形態では、基地局（例えば、基地局２００）は、ビームフォーミング用の重みセットを用いて測定用のリファレンス信号を送信する。即ち、上記基地局は、上記リファレンス信号に上記重みセットを乗算し、上記重みセットを乗算された上記リファレンス信号を送信する。その結果、上記リファレンス信号が、ビームとして送信される。
【００６３】
これにより、例えば、ビームフォーミングが行われる環境における実際の受信電力を測定することが可能になる。
【００６４】
（ビームフォーミング）
例えば、上記ビームフォーミングは、ラージスケールＭＩＭＯのビームフォーミングである。換言すると、上記ビームフォーミングは、マッシブＭＩＭＯのビームフォーミング、又は３次元ビームフォーミングである。
【００６５】
なお、上記ビームフォーミングは、従来型のビームフォーミング（例えば、２次元ビームフォーミング）であってもよい。
【００６６】
（測定用のリファレンス信号）
例えば、上記リファレンス信号（即ち、測定用のリファレンス信号）は、セルに固有のリファレンス信号（reference  signals  specific  to  a  cell）である。例えば、上記基地局は、ＣＲＳ（Cell-specific  Reference  Signal）に加えて、上記リファレンス信号を送信する。即ち、上記リファレンス信号は、ＣＲＳとは別の信号である。なお、上記リファレンス信号は、ＣＲＳと同じ信号系列を有してもよく、又はＣＲＳとは異なる信号系列を有してもよい。
【００６７】
なお、上記リファレンス信号は、ＣＲＳであってもよい。この場合に、ＣＲＳは、上記重みセットを乗算されてもよい。
【００６８】
（具体例）
（ａ）第１のＲＳ送信ケース
第１のケース（以下、「第１のＲＳ送信ケース」と呼ぶ）では、上記基地局は、異なる重みセットを乗算された測定用のリファレンス信号を送信するために、異なる無線リソースを使用する。以下、この点について図６を参照して具体例を説明する。
【００６９】
図６は、異なる重みセットを乗算された測定用のリファレンス信号の送信の第１の例を説明するための説明図である。図６を参照すると、サブフレーム３０内で時間方向に並ぶ２つのリソースブロックが示されている。この例では、サブフレーム３０は１４個のＯＦＤＭＡシンボルを含む。サブフレーム３０のうちの制御領域３１は、１番目〜３番目のＯＦＤＭＡシンボルを含み、サブフレーム３０のうちのデータ領域３３は、４番目〜１４番目のＯＦＤＭＡシンボルを含む。この例では、セルＸの基地局は、重みセットＶ（ｉ）（ｉ＝０〜３）を乗算された測定用のリファレンス信号を、当該重みセットＶ（ｉ）に関連付けられたリソースエレメントを使用して送信する。このように、第１のＲＳ送信ケースでは、異なる重みセットを乗算された測定用のリファレンス信号が、異なる無線リソースを使用して送信される。
【００７０】
また、例えば、異なる基地局（例えば、端末装置１００の周辺に位置する異なる基地局）は、重みセットを乗算された測定用のリファレンス信号を送信するために異なる無線リソースを使用する。以下、この点について図７及び図８を参照して具体例を説明する。
【００７１】
図７は、異なる基地局による測定用のリファレンス信号の送信の第１の例を説明するための説明図である。図７を参照すると、サブフレーム３０のリソースブロックのペア４０が示されている。ペア４０は、周波数方向に並んでいる。また、各ペア４０は、時間方向に並ぶ２つのリソースブロックを含む。この例では、セル０の基地局は、リソースブロックのペア４０Ａ、４０Ｅなどに含まれる無線リソースを使用して、重みセットを乗算された測定用のリファレンス信号を送信する。セル１の基地局は、リソースブロックのペア４０Ｂ、４０Ｆなどに含まれる無線リソースを使用して、重みセットを乗算された測定用のリファレンス信号を送信する。セル２の基地局は、リソースブロックのペア４０Ｃ、４０Ｇなどに含まれる無線リソースを使用して、重みセットを乗算された測定用のリファレンス信号を送信する。セル３の基地局は、リソースブロックのペア４０Ｄ、４０Ｈなどに含まれる無線リソースを使用して、重みセットを乗算された測定用のリファレンス信号を送信する。このように、異なる基地局は、重みセットを乗算された測定用のリファレンス信号を送信するために異なる無線リソースを使用する。
【００７２】
図８は、異なる基地局による測定用のリファレンス信号の送信の第２の例を説明するための説明図である。図８を参照すると、１０個のサブフレームを含む無線フレームが示されている。この例では、セル０の基地局は、サブフレーム番号が０、５であるサブフレームの無線リソースを使用して、重みセットを乗算された測定用のリファレンス信号を送信する。セル１の基地局は、サブフレーム番号が１、６であるサブフレームの無線リソースを使用して、重みセットを乗算された測定用のリファレンス信号を送信する。セル２の基地局は、サブフレーム番号が２、７であるサブフレームの無線リソースを使用して、重みセットを乗算された測定用のリファレンス信号を送信する。セル３の基地局は、サブフレーム番号が３、８であるサブフレームの無線リソースを使用して、重みセットを乗算された測定用のリファレンス信号を送信する。このように、異なる基地局は、重みセットを乗算された測定用のリファレンス信号を送信するために異なる無線リソースを使用する。
【００７３】
例えば以上のように、第１のＲＳ送信ケースでは、上記基地局は、異なる重みセットを乗算された測定用のリファレンス信号を送信するために、異なる無線リソースを使用する。なお、図６〜図８を参照して説明した無線リソースの使用パターンは、あくまで例示であり、様々なパターンが本開示の実施形態に適用され得る。
【００７４】
（ｂ）第２のＲＳ送信ケース
第２のケース（以下、「第２のＲＳ送信ケース」と呼ぶ）では、上記基地局は、異なる重みセットを乗算された測定用のリファレンス信号を、同一の無線リソースを使用して送信する。即ち、上記基地局は、異なる重みセットを乗算された測定用のリファレンス信号を空間多重により送信する。以下、この点について図９を参照して具体例を説明する。
【００７５】
図９は、異なる重みセットを乗算された測定用のリファレンス信号の送信の第２の例を説明するための説明図である。図９を参照すると、図６と同様に、サブフレーム３０内で時間方向に並ぶ２つのリソースブロックが示されている。この例では、セルＸの基地局は、重みセットＶ（ｉ）（ｉ＝０〜３）を乗算された測定用のリファレンス信号を、重みセットＶに共通のリソースエレメントを使用して送信する。このように、第２のＲＳ送信ケースでは、異なる重みセットを乗算された測定用のリファレンス信号が、同一の無線リソースを使用して送信される。
【００７６】
また、例えば、異なる基地局（例えば、端末装置１００の周辺に位置する異なる基地局）は、重みセットを乗算された測定用のリファレンス信号を送信するために、異なる無線リソースを使用する。この点は、第１のＲＳ送信ケースについて図７及び図８を参照して説明したとおりである。
【００７７】
例えば以上のように、第２のＲＳ送信ケースでは、上記基地局は、異なる重みセットを乗算された測定用のリファレンス信号を送信するために、同一の無線リソースを使用する。なお、図７〜図９を参照して説明した無線リソースの使用パターンは、あくまで例示であり、様々なパターンが本開示の実施形態に適用され得る。
【００７８】
（重み係数の乗算）
重みセットは、複数のアンテナ素子のための重み係数のセットであり、測定用のリファレンス信号は、アンテナ素子ごとに、アンテナ素子に対応する重み係数を乗算される。以下、この点について図１０を参照して具体例を説明する。
【００７９】
図１０は、測定用のリファレンス信号への重み係数の乗算を説明するための説明図である。図１０を参照すると、各アンテナ素子７１に対応する送信信号７３は、乗算器７７において重み係数７５を複素乗算される。そして、重み係数７５を複素乗算された送信信号７３が、アンテナ素子７１から送信される。また、測定用のリファレンス信号７９は、乗算器７７の前に挿入され（即ち、無線リソースにマッピングされ）、乗算器７７において重み係数７５が複素乗算される。そして、重み係数７５が複素乗算された測定用のリファレンス信号７９は、アンテナ素子７１から送信される。
【００８０】
＜＜４．第１〜第４の実施形態の共通点と相違点＞＞
続いて、本開示の第１〜第４の実施形態の共通点と相違点を説明する。
【００８１】
（共通点）
本開示の第１〜第４の実施形態では、ビームフォーミング用の重みセットを用いて対象基地局により送信された測定用のリファレンスの端末装置１００における受信品質が、第１の受信電力情報及び第２の受信電力情報に基づいて算出される。上記第１の受信電力情報は、上記重みセットを用いて上記対象基地局により送信された上記リファレンス信号の端末装置１００における受信電力を示す情報である。
【００８２】
（相違点）
（ａ）第１及び第２の実施形態と第３及び第４の実施形態との相違点
本開示の第１の実施形態及び第２の実施形態では、上記第２の受信電力情報は、ビームフォーミング用の重みセットを用いて他の基地局により送信された測定用のリファレンス信号の端末装置１００における受信電力を示す情報である。
【００８３】
本開示の第３の実施形態及び第４の実施形態では、上記第２の受信電力情報は、物理ダウンリンク制御チャネルが配置されるシンボル内で送信される信号の端末装置１００における受信電力を示す情報である。
【００８４】
（ｂ）第１の実施形態と第２の実施形態との相違点
第１の実施形態では、端末装置１００が、上記第１の受信電力情報及び上記第２の受信電力情報に基づいて、上記受信品質を算出する。
【００８５】
第２の実施形態では、基地局２００が、上記第１の受信電力情報及び上記第２の受信電力情報に基づいて、上記受信品質を算出する。なお、端末装置１００は、ビームフォーミング用の重みセットを用いて基地局により送信された測定用のリファレンス信号の端末装置１００における受信電力を示す受信電力情報を、基地局２００に提供する。
【００８６】
（ｃ）第３の実施形態と第４の実施形態との相違点
第３の実施形態では、端末装置１００が、上記第１の受信電力情報及び上記第２の受信電力情報に基づいて、上記受信品質を算出する。
【００８７】
第４の実施形態では、基地局２００が、上記第１の受信電力情報及び上記第２の受信電力情報に基づいて、上記受信品質を算出する。端末装置１００は、ビームフォーミング用の重みセットを用いて基地局により送信された測定用のリファレンス信号の端末装置１００における受信電力を示す受信電力情報を、基地局２００に提供する。
【００８８】
＜＜５．第１の実施形態＞＞
続いて、図１１及び図１２を参照して、本開示の第１の実施形態を説明する。
【００８９】
＜５．１．端末装置の構成＞
まず、図１１を参照して、第１の実施形態に係る端末装置１００−１の構成の一例を説明する。図１１は、第１の実施形態に係る端末装置１００−１の構成の一例を示すブロック図である。図１１を参照すると、端末装置１００−１は、アンテナ部１１０、無線通信部１２０、記憶部１３０及び処理部１４０を備える。
【００９０】
（アンテナ部１１０）
アンテナ部１１０は、無線通信部１２０により出力された信号を電波として空間に放射する。また、アンテナ部１１０は、空間の電波を信号に変換し、当該信号を無線通信部１２０へ出力する。
【００９１】
（無線通信部１２０）
無線通信部１２０は、信号を送受信する。例えば、無線通信部１２０は、基地局２００−１からのダウンリンク信号を受信し、基地局２００−１へのアップリンク信号を送信する。
【００９２】
（記憶部１３０）
記憶部１３０は、端末装置１００−１の動作のためのプログラム及びデータを記憶する。
【００９３】
（処理部１４０）
処理部１４０は、端末装置１００−１の様々な機能を提供する。処理部１４０は、測定部１４１、情報取得部１４３、制御部１４５を含む。なお、処理部１４０は、これらの構成要素以外の他の構成要素をさらに含み得る。即ち、処理部１４０は、これらの構成要素の動作以外の動作も行い得る。
【００９４】
（測定部１４１）
測定部１４１は、ビームフォーミング用の重みセットを用いて基地局により送信された測定用のリファレンス信号の端末装置１００−１における受信電力を測定する。例えば、測定部１４１は、当該受信電力を示す受信電力情報を出力する。
【００９５】
（ａ）各ＲＳ送信ケースでの測定
（ａ−１）第１のＲＳ送信ケース
上述したように、第１のＲＳ送信ケースでは、基地局は、異なる重みセットを乗算された測定用のリファレンス信号を送信するために、異なる無線リソースを使用する。
【００９６】
この場合に、例えば、測定部１４１は、２つ以上の重みセットの各々について、重みセットを用いて基地局により送信された測定用のリファレンス信号の端末装置１００−１における受信電力を測定する。より具体的には、例えば、測定部１４１は、２つ以上の重みセットの各々について、重みセットに関連付けられた無線リソースを使用して送信される測定用のリファレンス信号の端末装置１００−１における受信電力を測定する。そして、測定部１４１は、上記２つ以上の重みセットの各々の受信電力情報を出力する。
【００９７】
図６を再び参照すると、例えば、測定部１４１は、重みセットＶ（０）を用いて送信されたリファレンス信号の受信電力、重みセットＶ（１）を用いて送信されたリファレンス信号の受信電力、重みセットＶ（２）を用いて送信されたリファレンス信号の受信電力、及び重みセットＶ（３）を用いて送信されたリファレンス信号の受信電力を測定する。そして、測定部１４１は、重みセットＶ（０）の受信電力情報、重みセットＶ（１）の受信電力情報、重みセットＶ（２）の受信電力情報、及び重みセットＶ（３）の受信電力情報を出力する。
【００９８】
なお、第１のＲＳ送信ケースにおいても、端末装置１００−１は、後述する第２のＲＳ送信ケースと同様に、受信電力を測定することが可能である。一例として、全ての重みセットＶについての受信電力の総和を算出することにより、後述する第２のＲＳ送信ケースと同様に受信電力が測定され得る。
【００９９】
（ａ−２）第２のＲＳ送信ケース
上述したように、第２のＲＳ送信ケースでは、基地局は、異なる重みセットを乗算された測定用のリファレンス信号を送信するために、同一の無線リソースを使用する。即ち、上記基地局は、異なる重みセットを乗算された測定用のリファレンス信号を空間多重により送信する。
【０１００】
この場合に、例えば、測定部１４１は、重みセットを用いて基地局により送信された測定用のリファレンス信号の端末装置１００−１における受信電力を測定する。より具体的には、例えば、測定部１４１は、重みセットに共通の無線リソースを使用して送信される測定用のリファレンス信号の端末装置１００−１における受信電力を測定する。そして、測定部１４１は、重みセットに共通の受信電力情報を出力する。
【０１０１】
図９を再び参照すると、例えば、測定部１４１は、重みセットＶを用いて送信されたリファレンス信号の受信電力を測定する。即ち、測定部１４１は、重みセットＶ（ｉ）（ｉ＝０、１、２、３）に共通の無線リソースを使用して送信される測定用のリファレンス信号の端末装置１００−１における受信電力を測定する。そして、測定部１４１は、重みセットＶ（ｉ）に共通の受信電力情報を出力する。
【０１０２】
（ｂ）基地局ごとの測定
例えば、測定部１４１は、複数の基地局の各々について、重みセットを用いて基地局により送信された測定用のリファレンス信号の端末装置１００−１における受信電力を測定する。
【０１０３】
より具体的には、例えば、測定部１４１は、複数の基地局の各々について、基地局に関連付けられた無線リソースを使用して送信される測定用のリファレンス信号の端末装置１００−１における受信電力を測定する。例えば、当該複数の基地局は、端末装置１００−１の周辺に位置する基地局である。そして、測定部１４１は、上記複数の基地局の各々についての受信電力情報を出力する。
【０１０４】
図７及び図８を再び参照すると、例えば、測定部１４１は、セル０の基地局により送信されたリファレンス信号の受信電力、セル１の基地局により送信されたリファレンス信号の受信電力、セル２の基地局により送信されたリファレンス信号の受信電力、及びセル３の基地局により送信されたリファレンス信号の受信電力を測定する。そして、測定部１４１は、セル０の基地局についての受信電力情報、セル１の基地局についての受信電力情報、セル２の基地局についての受信電力情報、及びセル３の基地局についての受信電力情報を出力する。
【０１０５】
なお、上述したように、異なる重みセットを乗算された測定用のリファレンス信号を送信するために異なる無線リソースが使用されるケース（即ち、第１のＲＳ送信ケース）がある。このケースでは、例えば、複数の基地局の各々について、測定部１４１は、２つ以上の重みセットの各々について、重みセットを用いて基地局により送信された測定用のリファレンス信号の端末装置１００−１における受信電力を測定する。
【０１０６】
図６〜図８を再び参照すると、例えば、セル０の基地局について、測定部１４１は、重みセットＶ（０）を用いて送信されたリファレンス信号の受信電力、重みセットＶ（１）を用いて送信されたリファレンス信号の受信電力、重みセットＶ（２）を用いて送信されたリファレンス信号の受信電力、及び重みセットＶ（３）を用いて送信されたリファレンス信号の受信電力を測定する。そして、測定部１４１は、セル０の基地局についての、重みセットＶ（０）の受信電力情報、重みセットＶ（１）の受信電力情報、重みセットＶ（２）の受信電力情報、及び重みセットＶ（３）の受信電力情報を出力する。セル１の基地局、セル２の基地局及びセル３の基地局も、セル０の基地局と同様に、重みセットＶ（０）、Ｖ（１）、Ｖ（２）、Ｖ（３）の各々を用いて送信されたリファレンス信号の受信電力を測定し、重みセットＶ（０）、Ｖ（１）、Ｖ（２）、Ｖ（３）の各々の受信電力情報を出力する。
【０１０７】
（ｃ）無線リソースの知得
例えば、基地局２００−１が、重みセットを乗算された測定用のリファレンス信号を送信するために使用される無線リソースを、端末装置１００−１に通知する。この場合に、測定部１４１は、基地局２００−１が端末装置１００−１に通知する当該無線リソースを使用して送信される測定用のリファレンス信号の受信電力を測定する。
【０１０８】
なお、上述したように、重みセットを乗算された測定用のリファレンス信号を送信するために使用される無線リソースは、あらかじめ定義された無線リソースであってもよい。この場合に、当該無線リソースを特定するための情報が、記憶部１３０に記憶されてもよい。そして、測定部１４１は、記憶部１３０に記憶される当該情報から特定される当該無線リソース（即ち、上記あらかじめ定義された無線リソース）を使用して送信される測定用のリファレンス信号の受信電力を測定してもよい。
【０１０９】
（ｄ）具体的な処理
上述したように、測定部１４１は、重みセットを用いて基地局により送信された測定用のリファレンス信号の端末装置１００−１における受信電力を測定する。例えば、測定部１４１は、単位リソースあたりの上記リファレンス信号の受信電力を測定する。より具体的には、例えば、測定部１４１は、リソースエレメントあたりの上記リファレンス信号の受信電力を測定する。即ち、測定部１４１は、受信電力の平均化処理を行う。
【０１１０】
なお、測定される受信電力は上述した例に限られない。一例として、測定部１４１は、上記リファレンス信号の受信電力の総和を測定してもよい。
【０１１１】
（情報取得部１４３）
情報取得部１４３は、ビームフォーミング用の重みセットを用いて基地局により送信された測定用のリファレンス信号の端末装置１００−１における受信電力を示す受信電力情報を取得する。
【０１１２】
例えば、上記受信電力情報が、測定部１４１により出力される。情報取得部１４３は、当該受信電力情報を取得する。
【０１１３】
（ａ）第１の受信電力情報
情報取得部１４３は、ビームフォーミング用の重みセットを用いて対象基地局により送信された測定用のリファレンス信号の端末装置１００−１における受信電力を示す第１の受信電力情報を取得する。
【０１１４】
なお、上記対象基地局は、受信品質の算出の対象となる基地局である。即ち、上記対象基地局は、どの基地局の受信品質を算出するかに応じて変わる。一例として、処理部１４０（例えば、制御部１４５）が、端末装置１００−１の周辺に位置する複数の基地局の中から、上記対象基地局を選択する。
【０１１５】
（ｂ）第２の受信電力情報
情報取得部１４３は、ビームフォーミング用の重みセットを用いて他の基地局により送信された測定用のリファレンス信号の端末装置１００−１における受信電力を示す第２の受信電力情報を取得する。どのような第２の受信電力情報を情報取得部１４３が取得するかは、受信品質の算出手法とともに後に詳細に説明する。
【０１１６】
なお、上記他の基地局は、受信品質の算出の対象となる基地局とは異なる基地局である。即ち、上記他の基地局も、どの基地局の受信品質を算出するかに応じて変わり得る。
【０１１７】
端末装置１００−１が上記対象基地局との無線通信を行う場合には、上記他の基地局は、端末装置１００−１及び上記対象基地局にとっての干渉源である。そのため、当該第２の受信電力情報は、干渉電力を示していると言える。
【０１１８】
（制御部１４５）
（ａ）受信品質の算出
制御部１４５は、上記第１の受信電力情報及び上記第２の受信電力情報に基づいて、上記対象基地局により送信された上記リファレンス信号の端末装置１００−１における受信品質を算出する。当該受信品質の算出手法については、後に詳細に説明する。
【０１１９】
（ｂ）基地局への提供
例えば、制御部１４５は、上記第１の受信電力情報を基地局２００−１に提供する。
【０１２０】
例えば、制御部１４５は、算出された上記受信品質を示す受信品質情報を基地局２００−１に提供する。
【０１２１】
具体的には、例えば、制御部１４５は、周期的に、及び／又は、所定のイベントの発生に応じて、上記第１の受信電力情報及び上記受信品質情報を基地局２００−１に提供する。制御部１４５は、アンテナ部１１０及び無線通信部１２０を介して、上記第１の受信電力情報及び上記受信品質情報を基地局２００−１に提供する。
【０１２２】
＜５．２．受信品質の算出手法＞
次に、第１の実施形態における上記受信品質の算出手法の例を説明する。
【０１２３】
（前提となる表現）
（ａ）基地局
基地局は、“Ｂ”で表される。さらに、上記対象基地局は、“Ｂ（０）”で表され、上記他の基地局は、“Ｂ（ｘ）”（ｘ＝１、２、３、…）で表される。
【０１２４】
（ｂ）重みセット
重みセットは、“Ｖ”で表される。とりわけ、個々の重みセットは、“Ｖ（ｉ）”（ｉ＝１、２、３、…）で表される。
【０１２５】
（ｃ）測定用のリファレンス信号の受信電力
端末装置１００−１における測定用のリファレンス信号の受信電力は、“ＲＳＲＰ”で表される。
【０１２６】
（ｃ−１）第１のＲＳ送信ケース
上述したように、第１のＲＳ送信ケース（即ち、異なる重みセットを乗算された測定用のリファレンス信号が異なる無線リソースを使用して送信されるケース）では、端末装置１００−１は、個々の重みセットＶ（ｉ）ごとの受信電力を測定することができる。そのため、例えば、第１のＲＳ送信ケースにおいて、重みセットＶ（ｉ）を用いて対象基地局Ｂ（０）により送信された測定用のリファレンス信号の端末装置１００−１における受信電力は、以下のように表される。
【０１２７】
【数３】
2015182292.tif 000005
【０１２８】
また、例えば、第１のＲＳ送信ケースにおいて、重みセットＶ（ｊ）を用いて他の基地局Ｂ（ｘ）により送信された測定用のリファレンス信号の端末装置１００−１における受信電力は、以下のように表される。
【０１２９】
【数４】
2015182292.tif 000006
【０１３０】
なお、上述したように、第１のＲＳ送信ケースにおいても、端末装置１００−１は、第２のＲＳ送信ケースと同様に、受信電力を測定することが可能である。
【０１３１】
（ｃ−２）第２のＲＳ送信ケース
上述したように、第２のＲＳ送信ケース（即ち、異なる重みセットを乗算された測定用のリファレンス信号が同一の無線リソースを使用して送信されるケース）では、重みセットＶに共通の受信電力が測定される。そのため、例えば、第２のケースにおいて、重みセットＶを用いて対象基地局Ｂ（０）により送信された測定用のリファレンス信号の端末装置１００−１における受信電力は、以下のように表される。
【０１３２】
【数５】
2015182292.tif 000007
【０１３３】
同様に、重みセットＶを用いて他の基地局Ｂ（ｘ）により送信された測定用のリファレンス信号の端末装置１００−１における受信電力は、以下のように表される。
【０１３４】
【数６】
2015182292.tif 000008
【０１３５】
（ｄ）測定用のリファレンス信号の受信品質
端末装置１００−１における測定用のリファレンス信号の受信品質は、“ＲＳＲＱ”で表される。
【０１３６】
（ｄ−１）第１のＲＳ送信ケース
例えば、第１のＲＳ送信ケースにおいて、例えば、上記第２の受信電力情報は、重みセットＶ（ｊ）を用いて他の基地局Ｂ（ｘ）により送信された測定用のリファレンス信号の端末装置１００−１における受信電力を示す。そして、重みセットＶ（ｉ）を用いて対象基地局Ｂ（０）により送信された測定用のリファレンス信号の端末装置１００−１における受信品質が、上記第２の受信電力情報に基づいて算出される。この場合に、当該受信品質は、以下のように表される。
【０１３７】
【数７】
2015182292.tif 000009
【０１３８】
なお、第１のＲＳ送信ケースにおいても、端末装置１００−１は、第２のＲＳ送信ケースと同様に、受信品質を算出することが可能である。
【０１３９】
（ｄ−２）第２のＲＳ送信ケース
例えば、第２のＲＳ送信ケースにおいて、例えば、上記第２の受信電力情報は、重みセットＶを用いて他の基地局Ｂ（ｘ）により送信された測定用のリファレンス信号の端末装置１００−１における受信電力を示す。そして、重みセットＶを用いて対象基地局Ｂ（０）により送信された測定用のリファレンス信号の端末装置１００−１における受信品質が、上記第２の受信電力情報に基づいて算出される。この場合に、当該受信品質は、以下のように表される。
【０１４０】
【数８】
2015182292.tif 000010
【０１４１】
（第１のＲＳ送信ケースにおける受信品質）
まず、異なる重みセットを乗算された測定用のリファレンス信号が異なる無線リソースを使用して送信される第１のＲＳ送信ケースにおいて、重みセットＶ（ｉ）を用いて対象基地局Ｂ（０）により送信された測定用のリファレンスの端末装置１００−１における受信品質を算出する手法の例を説明する。
【０１４２】
制御部１４５は、上記第１の受信電力情報及び上記第２の受信電力情報に基づいて、上記受信品質を算出する。
【０１４３】
上記第１の受信電力情報は、重みセットＶ（ｉ）を用いて対象基地局Ｂ（０）により送信された測定用のリファレンス信号の端末装置における受信電力を示す。上述したように、当該受信電力は、以下のように表される。
【０１４４】
【数９】
2015182292.tif 000011
【０１４５】
（ａ）１つの他の基地局及び１つの重みセット
（ａ−１）第２の受信電力情報
例えば、情報取得部１４３は、上記第１の受信電力情報と、１つの他の基地局についての１つの重みセットの上記第２の受信電力情報とを取得する。
【０１４６】
一例として、情報取得部１４３は、１つの他の基地局Ｂ（ａ）についての１つの重みセットＶ（ｎ）の上記第２の受信電力情報を取得する。当該第２の受信電力情報により示される受信電力は、以下のように表される。
【０１４７】
【表１】
2015182292.tif 000012
【０１４８】
（ａ−２）受信品質の算出
一例として、制御部１４５は、上記第１の受信電力情報により示される受信電力と、上記第２の受信電力情報により示される受信電力とを用いた除算により、上記受信品質を算出する。具体的には、例えば、制御部１４５は、上記受信品質を以下のように算出する。
【０１４９】
【数１０】
2015182292.tif 000013
【０１５０】
この手法により算出される受信品質は、対象基地局Ｂ（０）が重みセットＶ（ｉ）を使用し、他の基地局Ｂ（ａ）が重みセットＶ（ｎ）を使用する場合の、対象基地局Ｂ（０）についての受信品質と言える。即ち、この手法では、重みセットＶ（ｎ）を使用する他の基地局Ｂ（ａ）が干渉源として考慮される。
【０１５１】
なお、この手法では、重みセットＶ（ｎ）以外の重みセットＶ（ｊ）を使用する他の基地局Ｂ（ａ）、及び、他の基地局Ｂ（ａ）以外の他の基地局Ｂ（ｘ）が、干渉源として考慮されない。
【０１５２】
（ａ−３）重みセット
−受信電力
例えば、上記他の基地局により用いられる上記重みセットは、他の重みセットよりも端末装置１００−１においてより大きい受信電力をもたらす重みセットである。具体的には、例えば、他の基地局Ｂ（ａ）により用いられる重みセットＶ（ｎ）は、重みセットＶ（ｊ）（ｊ＝０，１，２，３，…）の中の他の重みセットよりも、より大きい受信電力をもたらす。これにより、例えば、受信品質の算出の際に、より大きい干渉源が考慮される。即ち、例えば、干渉が大きい場合の受信品質が算出される。
【０１５３】
−指定
上記他の基地局により用いられる上記重みセットは、指定された重みセットであってもよい。具体的には、上記他の基地局により用いられる上記重みセットは、ネットワーク（例えば、基地局２００−１又はコアネットワークノード）により指定された重みセットであってもよい。これにより、例えば、ネットワークにおいて基地局がどの重みセットを用いるかが分かっている場合、又は、基地局が用いる重みセットの調整が可能である場合に、精度の高い受信品質を算出することが可能になる。
【０１５４】
（ｂ）複数の他の基地局
（ｂ−１）第２の受信電力情報
例えば、情報取得部１４３は、複数の他の基地局の各々についての上記第２の受信電力情報を取得する。例えば、当該複数の他の基地局は、端末装置１００−１の周辺に位置する基地局である。
【０１５５】
例えば、情報取得部１４３は、上記第１の受信電力情報と、複数の他の基地局の各々についての１つの重みセットの上記第２の受信電力情報とを取得する。
【０１５６】
一例として、情報取得部１４３は、３つの他の基地局Ｂ（ｘ）（ｘ＝１，２，３）の各々についての１つの重みセットＶ（ｎｘ）の上記第２の受信電力情報を取得する。即ち、情報取得部１４３は、他の基地局Ｂ（１）についての重みセットＶ（ｎ１）の第２の受信電力情報、他の基地局Ｂ（２）についての重みセットＶ（ｎ２）の第２の受信電力情報、及び、他の基地局Ｂ（３）についての重みセットＶ（ｎ３）の第２の受信電力情報を取得する。これらの第２の受信電力情報により示される受信電力は、以下のように表される。
【０１５７】
【表２】
2015182292.tif 000014
【０１５８】
なお、他の基地局により用いられる重みセットは、上記複数の他の基地局間で異なり得る。重みセットＶ（ｎ１）、重みセットＶ（ｎ２）及び重みセットＶ（ｎ３）のうちの任意の２つは、互いに異なり得る。
【０１５９】
（ｂ−２）受信品質の算出
例えば、制御部１４５は、上記第１の受信電力情報、及び上記複数の他の基地局の各々ついての上記第２の受信電力情報に基づいて、上記受信品質を算出する。
【０１６０】
具体的には、例えば、制御部１４５は、上記第１の受信電力情報により示される第１の受信電力と、上記複数の他の基地局の各々ついての上記第２の受信電力情報に基づいて算出される第２の受信電力とに基づいて、上記受信品質を算出する。例えば、当該第２の受信電力は、上記第２の受信電力情報により示される受信電力の和である。一例として、当該第２の受信電力は、以下のように表される。
【０１６１】
【数１１】
2015182292.tif 000015
【０１６２】
さらに具体的には、例えば、制御部１４５は、上記第１の受信電力及び上記第２の受信電力を用いた除算により、上記受信品質を算出する。具体的には、例えば、制御部１４５は、上記受信品質を以下のように算出する。
【０１６３】
【数１２】
2015182292.tif 000016
【０１６４】
この手法により算出される受信品質は、対象基地局Ｂ（０）が重みセットＶ（ｉ）を使用し、他の基地局Ｂ（ｘ）（ｘ＝１，２，３）が重みセットＶ（ｎｘ）を使用する場合の、対象基地局Ｂ（０）についての受信品質と言える。即ち、この手法では、重みセットＶ（ｎｘ）を使用する他の基地局Ｂ（ｘ）（ｘ＝１，２，３）が干渉源として考慮される。
【０１６５】
なお、この手法では、重みセットＶ（ｎｘ）以外の重みセットＶ（ｊ）を使用する他の基地局Ｂ（ｘ）（ｘ＝１，２，３）が、干渉源として考慮されない。
【０１６６】
例えば以上のように、制御部１４５は、上記第１の受信電力情報、及び上記複数の他の基地局の各々ついての上記第２の受信電力情報に基づいて、上記受信品質を算出する。これにより、例えば、端末装置１００−１の周辺に位置する複数の他の基地局からの干渉を考慮したより精度の高い受信品質が算出される。その結果、端末装置１００−１のためにより望ましいセルが選択され得る。
【０１６７】
（ｂ−３）重みセット
−受信電力
例えば、上記他の基地局により用いられる上記重みセットは、他の重みセットよりも端末装置１００−１においてより大きい受信電力をもたらす重みセットである。具体的には、例えば、他の基地局Ｂ（ｘ）により用いられる重みセットＶ（ｎｘ）は、重みセットＶ（ｊ）（ｊ＝０，１，２，３，…）の中の他の重みセットよりも、より大きい受信電力をもたらす。これにより、例えば、受信品質の算出の際に、より大きい干渉源が考慮される。即ち、例えば、干渉が大きい場合の受信品質が算出される。
【０１６８】
−指定
上記他の基地局により用いられる上記重みセットは、指定された重みセットであってもよい。具体的には、上記他の基地局により用いられる上記重みセットは、ネットワーク（例えば、基地局２００−１又はコアネットワークノード）により指定された重みセットであってもよい。これにより、例えば、ネットワークにおいて基地局がどの重みセットを用いるかが分かっている場合、又は、基地局が用いる重みセットの調整が可能である場合に、精度の高い受信品質を算出することが可能になる。
【０１６９】
（ｃ）２つ以上の重みセット
（ｃ−１）第２の受信電力情報
例えば、情報取得部１４３は、２つ以上の重みセットの各々の上記第２の受信電力情報を取得する。
【０１７０】
例えば、情報取得部１４３は、上記第１の受信電力情報と、１つの他の基地局についての２つ以上の重みセットの上記第２の受信電力情報とを取得する。
【０１７１】
一例として、情報取得部１４３は、１つの他の基地局Ｂ（ａ）についての４つの重みセットＶ（ｊ）（ｊ＝０，１，２，３）の上記第２の受信電力情報を取得する。即ち、情報取得部１４３は、他の基地局Ｂ（ａ）についての重みセットＶ（０）の第２の受信電力情報、他の基地局Ｂ（ａ）についての重みセットＶ（１）の第２の受信電力情報、他の基地局Ｂ（ａ）についての重みセットＶ（２）の第２の受信電力情報、及び他の基地局Ｂ（ａ）についての重みセットＶ（３）の第２の受信電力情報を取得する。これらの第２の受信電力情報により示される受信電力は、以下のように表される。
【０１７２】
【表３】
2015182292.tif 000017
【０１７３】
（ｃ−２）受信品質の算出
例えば、制御部１４５は、上記第１の受信電力情報、及び、上記２つ以上の重みセットの各々の上記第２の受信電力情報に基づいて、上記受信品質を算出する。
【０１７４】
具体的には、例えば、制御部１４５は、上記第１の受信電力情報により示される第１の受信電力と、上記２つ以上の重みセットの各々の上記第２の受信電力情報に基づいて算出される第２の受信電力とに基づいて、上記受信品質を算出する。例えば、当該第２の受信電力は、上記第２の受信電力情報により示される受信電力の和である。一例として、当該第２の受信電力は、以下のように表される。
【０１７５】
【数１３】
2015182292.tif 000018
【０１７６】
さらに具体的には、例えば、制御部１４５は、上記第１の受信電力及び上記第２の受信電力を用いた除算により、上記受信品質を算出する。具体的には、例えば、制御部１４５は、上記受信品質を以下のように算出する。
【０１７７】
【数１４】
2015182292.tif 000019
【０１７８】
この手法により算出される受信品質は、対象基地局Ｂ（０）が重みセットＶ（ｉ）を使用し、他の基地局Ｂ（ａ）が重みセットＶ（ｊ）（ｊ＝０，１，２，３）を使用する場合の、対象基地局Ｂ（０）についての受信品質と言える。即ち、この手法では、重みセットＶ（ｊ）（ｊ＝０，１，２，３）を使用する他の基地局Ｂ（ａ）が干渉源として考慮される。
【０１７９】
なお、この手法では、他の基地局Ｂ（ａ）以外の他の基地局Ｂ（ｘ）が、干渉源として考慮されない。
【０１８０】
例えば以上のように、制御部１４５は、上記第１の受信電力情報、及び、上記２つ以上の重みセットの各々の上記第２の受信電力情報に基づいて、上記受信品質を算出する。これにより、２つ以上の重みセットを使用する他の基地局からの干渉を考慮したより精度の高い受信品質が算出される。その結果、端末装置１００−１のためにより望ましいセルが選択され得る。
【０１８１】
（ｃ−３）重みセット
−受信電力
例えば、上記２つ以上の重みセットは、他の重みセットよりも端末装置１００−１においてより大きい受信電力をもたらす重みセットである。具体的には、例えば、他の基地局Ｂ（ａ）により用いられる重みセットＶ（０）、Ｖ（１）、Ｖ（２）、Ｖ（３）は、重みセットＶ（ｊ）（ｊ＝０，１，２，３，４，…）の中の他の重みセットよりも、より大きい受信電力をもたらす。これにより、例えば、受信品質の算出の際に、より大きい干渉源が考慮される。即ち、例えば、干渉が大きい場合の受信品質が算出される。
【０１８２】
−指定
上記２つ以上の重みセットは、指定された重みセットであってもよい。具体的には、上記２つ以上の重みセットは、ネットワーク（例えば、基地局２００−１又はコアネットワークノード）により指定された重みセットであってもよい。これにより、例えば、ネットワークにおいて基地局がどの重みセットを用いるかが分かっている場合、又は、基地局が用いる重みセットの調整が可能である場合に、精度の高い受信品質を算出することが可能になる。
【０１８３】
（ｄ）複数の他の基地局及び２つ以上の重みセット）
（ｄ−１）第２の受信電力情報
例えば、情報取得部１４３は、複数の他の基地局の各々についての、２つ以上の重みセットの各々の上記第２の受信電力情報を取得する。例えば、当該複数の他の基地局は、端末装置１００−１の周辺に位置する基地局である。
【０１８４】
一例として、情報取得部１４３は、３つの他の基地局Ｂ（ｘ）（ｘ＝１，２，３）の各々についての４つの重みセットＶ（ｎｘｋ）（ｋ＝０，１，２，３）の上記第２の受信電力情報を取得する。即ち、情報取得部１４３は、他の基地局Ｂ（１）についての重みセットＶ（ｎ１０）の第２の受信電力情報、他の基地局Ｂ（１）についての重みセットＶ（ｎ１１）の第２の受信電力情報、他の基地局Ｂ（１）についての重みセットＶ（ｎ１２）の第２の受信電力情報、及び他の基地局Ｂ（１）についての重みセットＶ（ｎ１３）の第２の受信電力情報を取得する。情報取得部１４３は、他の基地局Ｂ（２），Ｂ（３）についても、他の基地局Ｂ（１）と同様に、重みセットごとの第２の受信電力情報を取得する。これらの第２の受信電力情報により示される受信電力は、以下のように表される。
【０１８５】
【表４】
2015182292.tif 000020
【０１８６】
なお、上記２つ以上の重みセットは、上記複数の他の基地局間で異なり得る。重みセットＶ（ｎ１ｋ）（ｋ＝０，１，２，３，４）、重みセットＶ（ｎ２ｋ）（ｋ＝０，１，２，３，４）、及び重みセットＶ（ｎ３ｋ）（ｋ＝０，１，２，３，４）のうちの任意の２つは、互いに異なり得る。
【０１８７】
（ｄ−２）受信品質の算出
例えば、制御部１４５は、上記第１の受信電力情報、及び、上記複数の他の基地局の各々ついての、上記２つ以上の重みセットの各々の上記第２の受信電力情報に基づいて、上記受信品質を算出する。
【０１８８】
具体的には、例えば、制御部１４５は、上記第１の受信電力情報により示される第１の受信電力と、上記複数の他の基地局の各々ついての上記２つ以上の重みセットの各々の上記第２の受信電力情報に基づいて算出される第２の受信電力とに基づいて、上記受信品質を算出する。例えば、当該第２の受信電力は、上記第２の受信電力情報により示される受信電力の和である。一例として、当該第２の受信電力は、以下のように表される。
【０１８９】
【数１５】
2015182292.tif 000021
【０１９０】
さらに具体的には、例えば、制御部１４５は、上記第１の受信電力及び上記第２の受信電力を用いた除算により、上記受信品質を算出する。具体的には、例えば、制御部１４５は、上記受信品質を以下のように算出する。
【０１９１】
【数１６】
2015182292.tif 000022
【０１９２】
この手法により算出される受信品質は、対象基地局Ｂ（０）が重みセットＶ（ｉ）を使用し、他の基地局Ｂ（ｘ）（ｘ＝１，２，３）が重みセットＶ（ｎｘｋ）（ｋ＝０，１，２，３）を使用する場合の、対象基地局Ｂ（０）についての受信品質と言える。即ち、この手法では、重みセットＶ（ｎｘｋ）（ｋ＝０，１，２，３）を使用する他の基地局Ｂ（ｘ）（ｘ＝１，２，３）が干渉源として考慮される。
【０１９３】
例えば以上のように、制御部１４５は、上記第１の受信電力情報、及び、上記複数の他の基地局の各々ついての、上記２つ以上の重みセットの各々の上記第２の受信電力情報に基づいて、上記受信品質を算出する。これにより、２つ以上の重みセットを使用する複数の他の基地局からの干渉を考慮したより精度の高い受信品質が算出される。その結果、端末装置１００−１のためにより望ましいセルが選択され得る。
【０１９４】
（ｄ−３）重みセット
−受信電力
例えば、上記２つ以上の重みセットは、他の重みセットよりも端末装置１００−１においてより大きい受信電力をもたらす重みセットである。具体的には、例えば、他の基地局Ｂ（ｘ）により用いられる重みセットＶ（ｎｘｋ）（ｋ＝０，１，２，３）は、重みセットＶ（ｊ）（ｊ＝０，１，２，３，…）の中の他の重みセットよりも、より大きい受信電力をもたらす。これにより、例えば、受信品質の算出の際に、より大きい干渉源が考慮される。即ち、例えば、干渉が大きい場合の受信品質が算出される。
【０１９５】
−指定
上記２つ以上の重みセットは、指定された重みセットであってもよい。具体的には、上記２つ以上の重みセットは、ネットワーク（例えば、基地局２００−１又はコアネットワークノード）により指定された重みセットであってもよい。これにより、例えば、ネットワークにおいて基地局がどの重みセットを用いるかが分かっている場合、又は、基地局が用いる重みセットの調整が可能である場合に、精度の高い受信品質を算出することが可能になる。
【０１９６】
以上、第１のＲＳ送信ケースにおいて、上記受信品質を算出する手法を説明した。なお、第１のＲＳ送信ケースにおいても、後述する第２のＲＳ送信ケースと同様に、受信品質を算出することが可能である。一例として、全ての重みセットＶについての受信電力の総和を示す受信電力情報を用いることにより、後述する第２のＲＳ送信ケースと同様に受信品質が算出され得る。
【０１９７】
（第２のＲＳ送信ケースにおける受信品質）
次に、異なる重みセットを乗算された測定用のリファレンス信号が同一の無線リソースを使用して送信される第２のＲＳ送信ケースにおいて、重みセットＶを用いて対象基地局Ｂ（０）により送信された測定用のリファレンスの端末装置１００−１における受信品質を算出する手法の例を説明する。
【０１９８】
制御部１４５は、上記第１の受信電力情報及び上記第２の受信電力情報に基づいて、上記受信品質を算出する。
【０１９９】
上記第１の受信電力情報は、重みセットＶを用いて対象基地局Ｂ（０）により送信された測定用のリファレンス信号の端末装置における受信電力を示す。上述したように、当該受信電力は、以下のように表される。
【０２００】
【数１７】
2015182292.tif 000023
【０２０１】
（ａ）１つの他の基地局
（ａ−１）第２の受信電力情報
例えば、情報取得部１４３は、上記第１の受信電力情報と、１つの他の基地局についての上記第２の受信電力情報とを取得する。
【０２０２】
一例として、情報取得部１４３は、１つの他の基地局Ｂ（ａ）についての上記第２の受信電力情報を取得する。当該第２の受信電力情報により示される受信電力は、以下のように表される。
【０２０３】
【表５】
2015182292.tif 000024
【０２０４】
（ａ−２）受信品質の算出
一例として、制御部１４５は、上記第１の受信電力情報により示される受信電力と、上記第２の受信電力情報により示される受信電力とを用いた除算により、上記受信品質を算出する。具体的には、例えば、制御部１４５は、上記受信品質を以下のように算出する。
【０２０５】
【数１８】
2015182292.tif 000025
【０２０６】
この手法により算出される受信品質は、対象基地局Ｂ（０）及び他の基地局Ｂ（ａ）が重みセットＶを使用する場合の、対象基地局Ｂ（０）についての受信品質と言える。即ち、この手法では、重みセットＶを使用する他の基地局Ｂ（ａ）が干渉源として考慮される。
【０２０７】
なお、この手法では、他の基地局Ｂ（ａ）以外の他の基地局Ｂ（ｘ）が、干渉源として考慮されない。
【０２０８】
（ｂ）複数の他の基地局
（ｂ−１）第２の受信電力情報
例えば、情報取得部１４３は、複数の他の基地局の各々についての上記第２の受信電力情報を取得する。例えば、当該複数の他の基地局は、端末装置１００−１の周辺に位置する基地局である。
【０２０９】
一例として、情報取得部１４３は、３つの他の基地局Ｂ（ｘ）（ｘ＝１，２，３）の各々についての上記第２の受信電力情報を取得する。即ち、情報取得部１４３は、他の基地局Ｂ（１）についての第２の受信電力情報、他の基地局Ｂ（２）についての第２の受信電力情報、及び、他の基地局Ｂ（３）についての第２の受信電力情報を取得する。これらの第２の受信電力情報により示される受信電力は、以下のように表される。
【０２１０】
【表６】
2015182292.tif 000026
【０２１１】
（ｂ−２）受信品質の算出
例えば、制御部１４５は、上記第１の受信電力情報、及び上記複数の他の基地局の各々ついての上記第２の受信電力情報に基づいて、上記受信品質を算出する。
【０２１２】
具体的には、例えば、制御部１４５は、上記第１の受信電力情報により示される第１の受信電力と、上記複数の他の基地局の各々ついての上記第２の受信電力情報に基づいて算出される第２の受信電力とに基づいて、上記受信品質を算出する。例えば、当該第２の受信電力は、上記第２の受信電力情報により示される受信電力の和である。一例として、当該第２の受信電力は、以下のように表される。
【０２１３】
【数１９】
2015182292.tif 000027
【０２１４】
さらに具体的には、例えば、制御部１４５は、上記第１の受信電力及び上記第２の受信電力を用いた除算により、上記受信品質を算出する。具体的には、例えば、制御部１４５は、上記受信品質を以下のように算出する。
【０２１５】
【数２０】
2015182292.tif 000028
【０２１６】
この手法により算出される受信品質は、対象基地局Ｂ（０）及び他の基地局Ｂ（ｘ）（ｘ＝１，２，３）が重みセットＶを使用する場合の、対象基地局Ｂ（０）についての受信品質と言える。即ち、この手法では、重みセットＶを使用する他の基地局Ｂ（ｘ）（ｘ＝１，２，３）が干渉源として考慮される。
【０２１７】
例えば以上のように、制御部１４５は、上記第１の受信電力情報、及び上記複数の他の基地局の各々ついての上記第２の受信電力情報に基づいて、上記受信品質を算出する。これにより、例えば、端末装置１００−１の周辺に位置する複数の他の基地局からの干渉を考慮したより精度の高い受信品質が算出される。その結果、端末装置１００−１のためにより望ましいセルが選択され得る。
【０２１８】
（対象基地局）
（ａ）対象基地局
上述したように、上記対象基地局は、受信品質の算出の対象となる基地局である。例えば、処理部１４０（例えば、制御部１４５）は、端末装置１００−１の周辺に位置する複数の基地局の中から、上記対象基地局を選択する。一例として、処理部１４０は、測定（measurements）の対象であるセル（例えば、サービングセル及び近隣セル）の基地局を、対象基地局として選択する。その結果、選択される基地局についての受信品質が算出される。
【０２１９】
なお、当然ながら、１つの対象基地局のみではなく、２つ以上の対象基地局が選択され得る。その結果、２つ以上の対象基地局の各々についての受信品質が算出され得る。
【０２２０】
（ｂ）対象基地局により用いられる重みセット
上述したように、第１のＲＳ送信ケースでは、上記対象基地局が用いる重みセットごとに、上記受信品質が算出可能である。例えば、処理部１４０（例えば、制御部１４５）は、上記対象基地局が用いる複数の重みセットの中から、重みセットを選択する。その結果、選択される重みセットについての受信品質が算出される。
【０２２１】
なお、当然ながら、１つの重みセットのみではなく、２つ以上の重みセットが選択され得る。その結果、２つ以上の重みセットの各々についての受信品質が算出され得る。
【０２２２】
＜５．３．処理の流れ＞
次に、図１２を参照して、第１の実施形態に係る処理の例を説明する。図１２は、第１の実施形態に係る処理の概略的な流れの一例を示すフローチャートである。当該処理は、端末装置１００−１により実行される。
【０２２３】
情報取得部１４３は、ビームフォーミング用の重みセットを用いて対象基地局により送信された測定用のリファレンス信号の端末装置１００−１における受信電力を示す第１の受信電力情報を取得する（Ｓ３０１）。
【０２２４】
また、情報取得部１４３は、ビームフォーミング用の重みセットを用いて他の基地局により送信された測定用のリファレンス信号の端末装置１００−１における受信電力を示す第２の受信電力情報を取得する（Ｓ３０３）。
【０２２５】
そして、制御部１４５は、上記第１の受信電力情報及び上記第２の受信電力情報に基づいて、上記対象基地局により送信された上記リファレンス信号の端末装置１００−１における受信品質を算出する（Ｓ３０５）。そして、処理は終了する。
【０２２６】
以上、第１の実施形態を説明した。第１の実施形態によれば、例えば、ビームフォーミングが行われる環境において端末装置１００−１のためにより望ましいセルを選択することが可能になる。より具体的には、例えば、対象基地局についての受信品質は、ビームフォーミングが行われる環境における対象基地局についての受信電力（即ち、第１の受信電力情報により示される受信電力）及び干渉（即ち、第２の受信電力情報により示される受信電力）に基づいて算出される。そのため、当該受信品質は、ビームフォーミングが行われる環境において端末装置１００−１が無線通信を行う場合の受信品質に近くなり得る。そして、当該受信品質が、ハンドオーバ（handover）又はセル選択（cell  selection）／再選択（cell  reselection）の際に用いられ、その結果、端末装置１００−１のためのより望ましいセルが選択され得る。
【０２２７】
また、第１の実施形態では、端末装置１００−１が、上記受信品質を算出するので、基地局２００−１には、当該受信品質の算出のための情報を送信しなくてもよい。そのため、無線リソースが節約され得る。
【０２２８】
＜＜６．第２の実施形態＞＞
続いて、図１３〜図１５を参照して、本開示の第２の実施形態を説明する。
【０２２９】
第１の実施形態では、端末装置１００−１が、上記受信品質を算出するが、第２の実施形態では、基地局２００−２が、上記受信品質を算出する。
【０２３０】
＜６．１．端末装置の構成＞
まず、図１３を参照して、第２の実施形態に係る端末装置１００−２の構成の一例を説明する。図１３は、第２の実施形態に係る端末装置１００−２の構成の一例を示すブロック図である。図１３を参照すると、端末装置１００−２は、アンテナ部１１０、無線通信部１２０、記憶部１３０及び処理部１５０を備える。
【０２３１】
アンテナ部１１０、無線通信部１２０及び記憶部１３０についての説明は、符号の相違を除き、第１の実施形態と第２の実施形態との間で差異はない。よって、ここでは重複する記載を省略し、処理部１５０のみを説明する。
【０２３２】
（処理部１５０）
処理部１５０は、端末装置１００−２の様々な機能を提供する。処理部１５０は、測定部１４１、情報取得部１５３、制御部１５５を含む。なお、処理部１５０は、これらの構成要素以外の他の構成要素をさらに含み得る。即ち、処理部１５０は、これらの構成要素の動作以外の動作も行い得る。
【０２３３】
測定部１４１についての説明は、符号の相違を除き、第１の実施形態と第２の実施形態との間で差異はない。よって、ここでは重複する記載を省略し、情報取得部１５３及び制御部１５５のみを説明する。
【０２３４】
（情報取得部１５３）
情報取得部１５３は、ビームフォーミング用の重みセットを用いて基地局により送信された測定用のリファレンス信号の端末装置１００−２における受信電力を示す受信電力情報を取得する。
【０２３５】
例えば、上記受信電力情報が、測定部１４１により出力される。情報取得部１５３は、当該受信電力情報を取得する。
【０２３６】
なお、例えば、上記受信電力情報は、受信品質の算出に用いられる第１の受信電力情報及び第２の受信電力情報の候補である。
【０２３７】
（制御部１５５）
制御部１５５は、上記受信電力情報を基地局２００−２に提供する。
【０２３８】
具体的には、例えば、制御部１５５は、周期的に、及び／又は、所定のイベントの発生に応じて、上記受信電力情報を基地局２００−２に提供する。制御部１５５は、アンテナ部１１０及び無線通信部１２０を介して、上記受信電力情報を基地局２００−２に提供する。
【０２３９】
＜６．２．基地局の構成＞
次に、図１４を参照して、第２の実施形態に係る基地局２００−２の構成の一例を説明する。図１４は、第２の実施形態に係る基地局２００−２の構成の一例を示すブロック図である。図１４を参照すると、基地局２００−２は、アンテナ部２１０、無線通信部２２０、ネットワーク通信部２３０、記憶部２４０及び処理部２５０を備える。
【０２４０】
（アンテナ部２１０）
アンテナ部２１０は、無線通信部２２０により出力された信号を電波として空間に放射する。また、アンテナ部２１０は、空間の電波を信号に変換し、当該信号を無線通信部２２０へ出力する。
【０２４１】
例えば、アンテナ部２１０は、指向性アンテナを含む。例えば、当該指向性アンテナは、ラージスケールＭＩＭＯに使用可能な指向性アンテナである。
【０２４２】
また、例えば、アンテナ部２１０は、無指向性アンテナをさらに含む。なお、アンテナ部２１０は、無指向性アンテナの代わりに、又は無指向性アンテナとともに、セクタアンテナを含んでもよい。
【０２４３】
（無線通信部２２０）
無線通信部２２０は、信号を送受信する。例えば、無線通信部２２０は、端末装置１００−２へのダウンリンク信号を送信し、端末装置１００−２からのアップリンク信号を受信する。
【０２４４】
（ネットワーク通信部２３０）
ネットワーク通信部２３０は、情報を送受信する。例えば、ネットワーク通信部２３０は、他のノードへの情報を送信し、他のノードからの情報を受信する。例えば、上記他のノードは、他の基地局及びコアネットワークノードを含む。
【０２４５】
（記憶部２４０）
記憶部２４０は、基地局２００−２の動作のためのプログラム及びデータを記憶する。
【０２４６】
（処理部２５０）
処理部２５０は、基地局２００−２の様々な機能を提供する。処理部２５０は、情報取得部２５１及び制御部２５３を含む。なお、処理部２５０は、これらの構成要素以外の他の構成要素をさらに含み得る。即ち、処理部２５０は、これらの構成要素の動作以外の動作も行い得る。
【０２４７】
（情報取得部２５１）
情報取得部２５１は、ビームフォーミング用の重みセットを用いて基地局により送信された測定用のリファレンス信号の端末装置１００−２における受信電力を示す受信電力情報を取得する。
【０２４８】
例えば、端末装置１００−２が、上記受信電力情報を基地局２００−２に提供する。そして、当該受信電力情報は、記憶部２４０に記憶される。その後のいずれかのタイミングで、情報取得部２５１は、記憶部２４０から、上記受信電力情報を取得する。
【０２４９】
（ａ）第１の受信電力情報
情報取得部２５１は、ビームフォーミング用の重みセットを用いて対象基地局により送信された測定用のリファレンス信号の端末装置１００−２における受信電力を示す第１の受信電力情報を取得する。
【０２５０】
なお、上記対象基地局は、受信品質の算出の対象となる基地局である。即ち、上記対象基地局は、どの基地局の受信品質を算出するかに応じて変わる。一例として、処理部２５０（例えば、制御部２５３）が、端末装置１００−２の周辺に位置する複数の基地局の中から、上記対象基地局を選択する。
【０２５１】
（ｂ）第２の受信電力情報
情報取得部２５１は、ビームフォーミング用の重みセットを用いて他の基地局により送信された測定用のリファレンス信号の端末装置１００−２における受信電力を示す第２の受信電力情報を取得する。
【０２５２】
なお、上記他の基地局は、受信品質の算出の対象となる基地局とは異なる基地局である。即ち、上記他の基地局も、どの基地局の受信品質を算出するかに応じて変わり得る。
【０２５３】
端末装置１００−２が上記対象基地局との無線通信を行う場合には、上記他の基地局は、端末装置１００−２及び上記対象基地局にとっての干渉源である。そのため、当該第２の受信電力情報は、干渉電力を示していると言える。
【０２５４】
（制御部２５３）
（ａ）受信品質の算出
制御部２５３は、上記第１の受信電力情報及び上記第２の受信電力情報に基づいて、上記対象基地局により送信された上記リファレンス信号の端末装置１００−２における受信品質を算出する。
【０２５５】
（ｂ）ハンドオーバ
例えば、制御部２５３は、算出される上記受信品質を示す受信品質情報に基づいて、端末装置１００−２のハンドオーバを決定する。
【０２５６】
具体的には、例えば、制御部２５３は、良好な受信品質を伴う基地局を、端末装置１００−２のハンドオーバのターゲット基地局として選択する。そして、制御部２５３は、選択された上記基地局への端末装置１００−２のハンドオーバを決定する。
【０２５７】
（その他）
なお、基地局２００−２は、例えば、ビームフォーミング用の重みセットを用いて測定用のリファレンス信号を送信する。より具体的には、例えば、基地局２００−２（例えば、処理部２５０）は、測定用のリファレンス信号を無線リソースにマッピングし、当該リファレンス信号に重みセットを乗算する。
【０２５８】
＜６．３．受信品質の算出手法＞
上記受信品質の算出手法の説明は、主体の相違（即ち、第１の実施形態では主体が端末装置１００−１であり、第２の実施形態では主体が基地局２００−２であること）を除き、第１の実施形態と第２の実施形態との間で差異はない。よって、ここでは重複する記載を省略する。なお、第２の実施形態では、「情報取得部１４３」は「情報取得部２５１」に読み替えられ、「制御部１４５」は「制御部２５３」に読み替えられ、「処理部１４０」は「処理部２５０」に読み替えられる。
【０２５９】
＜６．４．処理の流れ＞
次に、図１５を参照して、第２の実施形態に係る処理の例を説明する。図１５は、第２の実施形態に係る処理の概略的な流れの一例を示すシーケンス図である。
【０２６０】
端末装置１００−２（測定部１４１）は、ビームフォーミング用の重みセットを用いて基地局により送信された測定用のリファレンス信号の端末装置１００−２における受信電力を測定する（Ｓ３２１）。
【０２６１】
そして、端末装置１００−２（制御部１５５）は、上記受信電力を示す受信電力情報を基地局２００−２に提供する（Ｓ３２３）。
【０２６２】
その後、基地局２００−２は、受信品質算出処理を実行する（Ｓ３２５）。即ち、基地局２００−２（情報取得部２５１）は、ビームフォーミング用の重みセットを用いて対象基地局により送信された測定用のリファレンス信号の端末装置１００−２における受信電力を示す第１の受信電力情報を取得する。また、基地局２００−２（情報取得部２５１）は、ビームフォーミング用の重みセットを用いて他の基地局により送信された測定用のリファレンス信号の端末装置１００−２における受信電力を示す第２の受信電力情報を取得する。そして、基地局２００−２（制御部２５３）は、上記第１の受信電力情報及び上記第２の受信電力情報に基づいて、上記対象基地局により送信された上記リファレンス信号の端末装置１００−２における受信品質を算出する。そして、処理は終了する。
【０２６３】
なお、上記受信品質算出処理の概略的な流れの一例は、例えば、主体の相違を除き、図１２を参照して説明した第１の実施形態に係る処理の概略的な流れの一例と同じである。第２の実施形態では、「情報取得部１４３」は「情報取得部２５１」に読み替えられ、「制御部１４５」は「制御部２５３」に読み替えられる。
【０２６４】
以上、第２の実施形態を説明した。第２の実施形態によれば、第１の実施形態と同様に、ビームフォーミングが行われる環境において端末装置１００−２のためにより望ましいセルを選択することが可能になる。
【０２６５】
また、第２の実施形態では、端末装置１００−２が、受信電力情報を基地局２００−２に提供し、基地局２００−２が、当該受信電力情報に基づいて上記受信品質を算出する。そのため、例えば、基地局２００−２は、受信品質情報を組み合わせることにより、様々な種類の受信品質を自由に算出することができる。
【０２６６】
＜＜７．第３の実施形態＞＞
続いて、図１６及び図１７を参照して、本開示の第３の実施形態を説明する。
【０２６７】
＜７．１．端末装置の構成＞
まず、図１６を参照して、第３の実施形態に係る端末装置１００−３の構成の一例を説明する。図１６は、第３の実施形態に係る端末装置１００−３の構成の一例を示すブロック図である。図１６を参照すると、端末装置１００−３は、アンテナ部１１０、無線通信部１２０、記憶部１３０及び処理部１６０を備える。
【０２６８】
アンテナ部１１０、無線通信部１２０及び記憶部１３０についての説明は、符号の相違を除き、第１の実施形態と第３の実施形態との間で差異はない。よって、ここでは重複する記載を省略し、処理部１６０のみを説明する。
【０２６９】
（処理部１６０）
処理部１６０は、端末装置１００−３の様々な機能を提供する。処理部１６０は、測定部１６１、情報取得部１６３、制御部１６５を含む。なお、処理部１６０は、これらの構成要素以外の他の構成要素をさらに含み得る。即ち、処理部１６０は、これらの構成要素の動作以外の動作も行い得る。
【０２７０】
（測定部１６１）
（ａ）重みセットを用いて送信されたリファレンス信号の受信電力の測定
測定部１６１は、ビームフォーミング用の重みセットを用いて基地局により送信された測定用のリファレンス信号の端末装置１００−３における受信電力を測定する。例えば、測定部１６１は、当該受信電力を示す受信電力情報を出力する。
【０２７１】
当該受信電力の測定についての説明は、第１の実施形態（測定部１４１）と第３の実施形態（測定部１６１）との間に際はない。よって、ここでは重複する記載を省略する。
【０２７２】
（ｂ）制御領域シンボル内で送信される信号の受信電力の測定
測定部１６１は、物理ダウンリンク制御チャネル（Physical  Downlink  Control  Channel：ＰＤＣＣＨ）が配置されるシンボル（以下、「制御領域シンボル」と呼ぶ）内で送信される信号の端末装置１００−３における受信電力を測定する。例えば、測定部１６１は、当該受信電力を示す受信電力情報を出力する。
【０２７３】
（ｂ−１）制御領域シンボル
一例として、サブフレームが、１４個のシンボル（例えば、１４個のＯＦＤＭＡシンボル）を含み、ＰＤＣＣＨは、１〜３個目のシンボルに配置される。即ち、当該１〜３個目のシンボルの各々が、制御領域シンボルである。この場合に、測定部１６１は、この３つの制御領域シンボル（即ち、１〜３個目のシンボル）のうちの１つ以上の制御領域シンボル内で送信される信号の端末装置１００−３における受信電力を測定する。
【０２７４】
別の例として、サブフレームが、１２個のシンボル（例えば、１２個のＯＦＤＭＡシンボル）を含み、ＰＤＣＣＨは、１番目及び２個目のシンボルに配置されてもよい。即ち、当該１番目及び２個目のシンボルの各々が、制御領域シンボルであってもよい。この場合に、測定部１６１は、この２つの制御領域シンボル（即ち、１番目及び２個目のシンボル）のうちの少なくとも一方の制御領域シンボル内で送信される信号の端末装置１００−３における受信電力を測定してもよい。
【０２７５】
さらに別の例として、サブフレームが、６個のシンボル（例えば、６個のＯＦＤＭＡシンボル）を含み、ＰＤＣＣＨは、１番目のシンボルに配置されてもよい。即ち、当該１番目のシンボルが、制御領域シンボルであってもよい。この場合に、測定部１６１は、この１つの制御領域シンボル（即ち、１番目のシンボル）内で送信される信号の端末装置１００−３における受信電力を測定してもよい。
【０２７６】
（ｂ−２）周波数方向
一例として、測定部１６１は、上記制御領域シンボル内で周波数帯域全体にわたる無線リソースで送信される信号の端末装置１００−３における受信電力を測定する。より具体的には、例えば、測定部１６１は、上記制御領域シンボル内でコンポーネントキャリア（Component  Carrier：ＣＣ）全体にわたるリソースエレメントで送信される信号の端末装置１００−３における受信電力を測定する。
【０２７７】
別の例として、測定部１６１は、上記制御領域シンボル内で周波数帯域のうちの一部の帯域にわたる無線リソースで送信される信号の端末装置１００−３における受信電力を測定してもよい。より具体的には、測定部１６１は、上記制御領域シンボル内でＣＣのうちの一部の帯域にわたるリソースエレメントで送信される信号の端末装置１００−３における受信電力を測定してもよい。
【０２７８】
（ｂ−３）具体的な処理
上述したように、測定部１６１は、上記制御領域シンボル内で送信される信号の端末装置１００−３における受信電力を測定する。
【０２７９】
例えば、測定部１６１は、所定の単位あたりの受信電力を測定する。より具体的には、例えば、測定部１４１は、上記制御領域シンボル内で送信される信号の端末装置１００−３における受信電力の総和を算出し、当該総和を上記所定の単位の数で割ことにより、所定の単位あたりの受信電力を測定する。
【０２８０】
一例として、上記所定の単位は、シンボルである。別の例として、上記所定の単位は、サブフレームであってもよく、又はリソースブロックであってもよい。
【０２８１】
（情報取得部１６３）
（ａ）第１の受信電力情報
情報取得部１６３は、ビームフォーミング用の重みセットを用いて対象基地局により送信された測定用のリファレンス信号の端末装置１００−３における受信電力を示す第１の受信電力情報を取得する。
【０２８２】
例えば、上記第１の受信電力情報が、測定部１６１により出力される。情報取得部１６３は、当該第１の受信電力情報を取得する。
【０２８３】
なお、上記対象基地局は、受信品質の算出の対象となる基地局である。即ち、上記対象基地局は、どの基地局の受信品質を算出するかに応じて変わる。一例として、処理部１６０（例えば、制御部１６５）が、端末装置１００−３の周辺に位置する複数の基地局の中から、上記対象基地局を選択する。
【０２８４】
（ａ）第２の受信電力情報
情報取得部１６３は、物理ダウンリンク制御チャネルが配置されるシンボル（即ち、制御領域シンボル）内で送信される信号の端末装置１００−３における受信電力を示す第２の受信電力情報を取得する。
【０２８５】
例えば、上記第２の受信電力情報が、測定部１６１により出力される。情報取得部１４３は、当該第２の受信電力情報を取得する。
【０２８６】
例えば、制御チャネルが配置されるシンボル（即ち、制御領域シンボル）では、いずれの基地局も、ビームフォーミング用の重みセットを用いて信号を送信しない。よって、当該シンボルにおいて送信される信号は、基地局により用いられる重みセットに応じて大きく変動することもない。そのため、当該第２の受信電力情報は、ビームフォーミングにより大きく変動しない安定した受信電力を示していると言える。なお、当該受信電力は、所望信号、干渉及び雑音（Ｓ＋Ｉ＋Ｎ）の受信電力を含む。
【０２８７】
（制御部１６５）
（ａ）受信品質の算出
制御部１６５は、上記第１の受信電力情報及び上記第２の受信電力情報に基づいて、上記対象基地局により送信された上記リファレンス信号の端末装置１００−３における受信品質を算出する。当該受信品質の算出手法については、後に詳細に説明する。
【０２８８】
（ｂ）基地局への提供
例えば、制御部１６５は、上記第１の受信電力情報を基地局２００−３に提供する。
【０２８９】
例えば、制御部１６５は、算出された上記受信品質を示す受信品質情報を基地局２００−３に提供する。
【０２９０】
具体的には、例えば、制御部１６５は、周期的に、及び／又は、所定のイベントの発生に応じて、上記第１の受信電力情報及び上記受信品質情報を基地局２００−３に提供する。制御部１６５は、アンテナ部１１０及び無線通信部１２０を介して、上記第１の受信電力情報及び上記受信品質情報を基地局２００−３に提供する。
【０２９１】
＜７．２．受信品質の算出手法＞
次に、第３の実施形態における上記受信品質の算出手法の例を説明する。
【０２９２】
（前提となる表現）
（ａ）基地局
基地局は、“Ｂ”で表される。とりわけ、上記対象基地局は、“Ｂ（０）”で表される。
【０２９３】
（ｂ）重みセット
重みセットは、“Ｖ”で表される。とりわけ、個々の重みセットは、“Ｖ（ｉ）”（ｉ＝１、２、３、…）で表される。
【０２９４】
（ｃ）測定用のリファレンス信号の受信電力
端末装置１００−３における測定用のリファレンス信号の受信電力は、“ＲＳＲＰ”で表される。この点についての説明は、第１の実施形態と第２の実施形態との間に差異はない。よって、ここでは重複する記載を省略する。
【０２９５】
（ｄ）制御領域シンボル内で送信される信号の受信電力
上記制御領域シンボル（即ち、ＰＤＣＣＨが配置されるシンボル）内で送信される信号の端末装置１００−３における受信電力は、以下のように表される。
【０２９６】
【数２１】
2015182292.tif 000029
【０２９７】
（ｅ）測定用のリファレンス信号の受信品質
端末装置１００−３における測定用のリファレンス信号の受信品質は、“ＲＳＲＱ”で表される。
【０２９８】
（ｅ−１）第１のＲＳ送信ケース
例えば、第１のＲＳ送信ケースにおいて、重みセットＶ（ｉ）を用いて対象基地局Ｂ（０）により送信された測定用のリファレンス信号の端末装置１００−３における受信品質は、以下のように表される。
【０２９９】
【数２２】
2015182292.tif 000030
【０３００】
なお、第１のＲＳ送信ケースにおいても、端末装置１００−３は、第２のＲＳ送信ケースと同様に、受信品質を算出することが可能である。
【０３０１】
（ｅ−２）第２のＲＳ送信ケース
例えば、第２のＲＳ送信ケースにおいて、例えば、重みセットＶを用いて対象基地局Ｂ（０）により送信された測定用のリファレンス信号の端末装置１００−３における受信品質は、以下のように表される。
【０３０２】
【数２３】
2015182292.tif 000031
【０３０３】
（第１のＲＳ送信ケースにおける受信品質）
まず、異なる重みセットを乗算された測定用のリファレンス信号が異なる無線リソースを使用して送信される第１のＲＳ送信ケースにおいて、重みセットＶ（ｉ）を用いて対象基地局Ｂ（０）により送信された測定用のリファレンスの端末装置１００−３における受信品質を算出する手法の例を説明する。
【０３０４】
制御部１６５は、上記第１の受信電力情報及び上記第２の受信電力情報に基づいて、上記受信品質を算出する。
【０３０５】
上記第１の受信電力情報は、重みセットＶ（ｉ）を用いて対象基地局Ｂ（０）により送信された測定用のリファレンス信号の端末装置における受信電力を示す。上述したように、当該受信電力は、以下のように表される。
【０３０６】
【数２４】
2015182292.tif 000032
【０３０７】
上記第２の受信電力情報は、上記制御領域シンボル（即ち、ＰＤＣＣＨが配置されるシンボル）内で送信される信号の端末装置１００−３における受信電力を示す。上述したように、当該受信電力は、以下のように表される。
【０３０８】
【数２５】
2015182292.tif 000033
【０３０９】
一例として、制御部１６５は、上記第１の受信電力情報により示される受信電力と、上記第２の受信電力情報により示される受信電力とを用いた除算により、上記受信品質を算出する。具体的には、例えば、制御部１６５は、上記受信品質を以下のように算出する。
【０３１０】
【数２６】
2015182292.tif 000034
【０３１１】
（第２のＲＳ送信ケースにおける受信品質）
次に、異なる重みセットを乗算された測定用のリファレンス信号が同一の無線リソースを使用して送信される第２のＲＳ送信ケースにおいて、重みセットＶを用いて対象基地局Ｂ（０）により送信された測定用のリファレンスの端末装置１００−３における受信品質を算出する手法の例を説明する。
【０３１２】
制御部１６５は、上記第１の受信電力情報及び上記第２の受信電力情報に基づいて、上記受信品質を算出する。
【０３１３】
上記第１の受信電力情報は、重みセットＶを用いて対象基地局Ｂ（０）により送信された測定用のリファレンス信号の端末装置における受信電力を示す。上述したように、当該受信電力は、以下のように表される。
【０３１４】
【数２７】
2015182292.tif 000035
【０３１５】
上記第２の受信電力情報は、上記制御領域シンボル（即ち、ＰＤＣＣＨが配置されるシンボル）内で送信される信号の端末装置１００−３における受信電力を示す。上述したように、当該受信電力は、以下のように表される。
【０３１６】
【数２８】
2015182292.tif 000036
【０３１７】
一例として、制御部１６５は、上記第１の受信電力情報により示される受信電力と、上記第２の受信電力情報により示される受信電力とを用いた除算により、上記受信品質を算出する。具体的には、例えば、制御部１６５は、上記受信品質を以下のように算出する。
【０３１８】
【数２９】
2015182292.tif 000037
【０３１９】
（対象基地局）
（ａ）対象基地局
上述したように、上記対象基地局は、受信品質の算出の対象となる基地局である。例えば、処理部１６０（例えば、制御部１６５）は、端末装置１００−３の周辺に位置する複数の基地局の中から、上記対象基地局を選択する。一例として、処理部１６０は、測定（measurements）の対象であるセル（例えば、サービングセル及び近隣セル）の基地局を、対象基地局として選択する。その結果、選択される基地局についての受信品質が算出される。
【０３２０】
なお、当然ながら、１つの対象基地局のみではなく、２つ以上の対象基地局が選択され得る。その結果、２つ以上の対象基地局の各々についての受信品質が算出され得る。
【０３２１】
（ｂ）対象基地局により用いられる重みセット
上述したように、第１のＲＳ送信ケースでは、上記対象基地局が用いる重みセットごとに、上記受信品質が算出可能である。例えば、処理部１６０（例えば、制御部１６５）は、上記対象基地局が用いる複数の重みセットの中から、重みセットを選択する。その結果、選択される重みセットについての受信品質が算出される。
【０３２２】
なお、当然ながら、１つの重みセットのみではなく、２つ以上の重みセットが選択され得る。その結果、２つ以上の重みセットの各々についての受信品質が算出され得る。
【０３２３】
＜７．３．処理の流れ＞
続いて、図１７を参照して、第３の実施形態に係る処理の例を説明する。図１７は、第３の実施形態に係る処理の概略的な流れの一例を示すフローチャートである。当該処理は、端末装置１００−３により実行される。
【０３２４】
情報取得部１６３は、ビームフォーミング用の重みセットを用いて対象基地局により送信された測定用のリファレンス信号の端末装置１００−３における受信電力を示す第１の受信電力情報を取得する（Ｓ３４１）。
【０３２５】
また、情報取得部１６３は、物理ダウンリンク制御チャネル（ＰＤＣＣＨ）が配置されるシンボル（即ち、制御領域シンボル）内で送信される信号の端末装置１００−３における受信電力を示す第２の受信電力情報を取得する（Ｓ３４３）。
【０３２６】
そして、制御部１６５は、上記第１の受信電力情報及び上記第２の受信電力情報に基づいて、上記対象基地局により送信された上記リファレンス信号の端末装置１００−３における受信品質を算出する（Ｓ３４５）。そして、処理は終了する。
【０３２７】
以上、第３の実施形態を説明した。第３の実施形態によれば、例えば、ビームフォーミングが行われる環境において端末装置１００−３のためにより望ましいセルを選択することが可能になる。より具体的には、例えば、対象基地局についての受信品質は、ビームフォーミングが行われる環境における対象基地局についての受信電力（即ち、第１の受信電力情報により示される受信電力）、並びに、安定した所望信号、干渉及び雑音（Ｓ＋Ｉ＋Ｎ）の受信電力（即ち、第２の受信電力情報により示される受信電力）に基づいて算出される。そのため、当該受信品質は、対象基地局の近隣の基地局が用いる重みセットによって大きく変動することはない。そして、当該受信品質が、ハンドオーバ又はセル選択／再選択の際に用いられ、その結果、端末装置１００−３のためのより望ましいセルが選択され得る。
【０３２８】
また、第３の実施形態では、端末装置１００−３が、上記受信品質を算出するので、基地局２００−３には、当該受信品質の算出のための情報を送信しなくてもよい。そのため、無線リソースが節約され得る。
【０３２９】
＜＜８．第４の実施形態＞＞
続いて、図１８〜図２０を参照して、本開示の第４の実施形態を説明する。
【０３３０】
第３の実施形態では、端末装置１００−３が、上記受信品質を算出するが、第４の実施形態では、基地局２００−４が、上記受信品質を算出する。
【０３３１】
＜８．１．端末装置の構成＞
まず、図１８を参照して、第４の実施形態に係る端末装置１００−４の構成の一例を説明する。図１８は、第４の実施形態に係る端末装置１００−４の構成の一例を示すブロック図である。図１８を参照すると、端末装置１００−４は、アンテナ部１１０、無線通信部１２０、記憶部１３０及び処理部１７０を備える。
【０３３２】
アンテナ部１１０、無線通信部１２０及び記憶部１３０についての説明は、符号の相違を除き、第１の実施形態と第４の実施形態との間で差異はない。よって、ここでは重複する記載を省略し、処理部１７０のみを説明する。
【０３３３】
（処理部１７０）
処理部１７０は、端末装置１００−４の様々な機能を提供する。処理部１７０は、測定部１６１、情報取得部１７３、制御部１７５を含む。なお、処理部１７０は、これらの構成要素以外の他の構成要素をさらに含み得る。即ち、処理部１７０は、これらの構成要素の動作以外の動作も行い得る。
【０３３４】
測定部１６１についての説明は、符号の相違を除き、第３の実施形態と第４の実施形態との間で差異はない。よって、ここでは重複する記載を省略し、情報取得部１７３及び制御部１７５のみを説明する。
【０３３５】
（情報取得部１７３）
（ａ）測定用のリファレンス信号の受信電力を示す受信電力情報
情報取得部１７３は、ビームフォーミング用の重みセットを用いて基地局により送信された測定用のリファレンス信号の端末装置１００−４における受信電力を示す受信電力情報を取得する。
【０３３６】
例えば、上記受信電力情報が、測定部１６１により出力される。情報取得部１７３は、当該受信電力情報を取得する。
【０３３７】
なお、例えば、上記受信電力情報は、受信品質の算出に用いられる第１の受信電力情報の候補である。
【０３３８】
（ｂ）制御領域シンボル内で送信される信号の受信電力を示すさらなる受信電力情報
情報取得部１７３は、物理ダウンリンク制御チャネル（ＰＤＣＣＨ）が配置されるシンボル（即ち、制御領域シンボル）内で送信される信号の端末装置１００−４における受信電力を示すさらなる受信電力情報を取得する。
【０３３９】
例えば、上記さらなる受信電力情報が、測定部１６１により出力される。情報取得部１７３は、当該受信電力情報を取得する。
【０３４０】
なお、例えば、上記さらなる受信電力情報は、受信品質の算出に用いられる第２の受信電力情報である。
【０３４１】
（制御部１７５）
制御部１７５は、上記受信電力情報を基地局２００−４に提供する。また、制御部１７５は、上記さらなる受信電力情報を基地局２００−４にさらに提供する。
【０３４２】
具体的には、例えば、制御部１７５は、周期的に、及び／又は、所定のイベントの発生に応じて、上記受信電力情報及び上記さらなる受信電力情報を基地局２００−４に提供する。制御部１７５は、アンテナ部１１０及び無線通信部１２０を介して、上記受信電力情報及び上記さらなる受信電力情報を基地局２００−４に提供する。
【０３４３】
＜８．２．基地局の構成＞
次に、図１９を参照して、第４の実施形態に係る基地局２００−４の構成の一例を説明する。図１９は、第４の実施形態に係る基地局２００−４の構成の一例を示すブロック図である。図１９を参照すると、基地局２００−４は、アンテナ部２１０、無線通信部２２０、ネットワーク通信部２３０、記憶部２４０及び処理部２６０を備える。
【０３４４】
アンテナ部２１０、無線通信部２２０、ネットワーク通信部２３０及び記憶部２４０についての説明は、符号の相違を除き、第２の実施形態と第４の実施形態との間で差異はない。よって、ここでは重複する記載を省略し、処理部２６０のみを説明する。
【０３４５】
（情報取得部２６１）
（ａ）第１の受信電力情報
情報取得部２６１は、ビームフォーミング用の重みセットを用いて対象基地局により送信された測定用のリファレンス信号の端末装置１００−４における受信電力を示す第１の受信電力情報を取得する。
【０３４６】
例えば、端末装置１００−４が、ビームフォーミング用の重みセットを用いて基地局により送信された測定用のリファレンス信号の端末装置１００−４における受信電力を示す受信電力情報（即ち、上記第１の受信電力情報の候補）を、基地局２００−４に提供する。そして、当該受信電力情報は、記憶部２４０に記憶される。その後のいずれかのタイミングで、情報取得部２６１は、記憶部２４０から、上記第１の受信電力情報（即ち、対象基地局についての上記受信電力情報）を取得する。
【０３４７】
なお、上記対象基地局は、受信品質の算出の対象となる基地局である。即ち、上記対象基地局は、どの基地局の受信品質を算出するかに応じて変わる。一例として、処理部２６０（例えば、制御部２６３）が、端末装置１００−４の周辺に位置する複数の基地局の中から、上記対象基地局を選択する。
【０３４８】
（ｂ）第２の受信電力情報
情報取得部２６１は、物理ダウンリンク制御チャネルが配置されるシンボル（即ち、制御領域シンボル）内で送信される信号の端末装置１００−４における受信電力を示す第２の受信電力情報を取得する。
【０３４９】
例えば、端末装置１００−４が、上記第２の受信電力情報（即ち、上記さらなる受信電力情報）を基地局２００−４に提供する。そして、当該第２の受信電力情報は、記憶部２４０に記憶される。その後のいずれかのタイミングで、情報取得部２６１は、記憶部２４０から、上記第２の受信電力情報を取得する。
【０３５０】
（制御部２６３）
（ａ）受信品質の算出
制御部２６３は、上記第１の受信電力情報及び上記第２の受信電力情報に基づいて、上記対象基地局により送信された上記リファレンス信号の端末装置１００−４における受信品質を算出する。
【０３５１】
（ｂ）ハンドオーバ
例えば、制御部２６３は、算出される上記受信品質を示す受信品質情報に基づいて、端末装置１００−４のハンドオーバを決定する。
【０３５２】
具体的には、例えば、制御部２６３は、良好な受信品質を伴う基地局を、端末装置１００−４のハンドオーバのターゲット基地局として選択する。そして、制御部２６３は、選択された上記基地局への端末装置１００−４のハンドオーバを決定する。
【０３５３】
（その他）
なお、基地局２００−４は、例えば、ビームフォーミング用の重みセットを用いて測定用のリファレンス信号を送信する。より具体的には、例えば、基地局２００−４（例えば、処理部２６０）は、測定用のリファレンス信号を無線リソースにマッピングし、当該リファレンス信号に重みセットを乗算する。
【０３５４】
＜８．３．受信品質の算出手法＞
上記受信品質の算出手法の説明は、主体の相違（即ち、第３の実施形態では主体が端末装置１００−３であり、第４の実施形態では主体が基地局２００−４であること）を除き、第３の実施形態と第４の実施形態との間で差異はない。よって、ここでは重複する記載を省略する。なお、第４の実施形態では、「情報取得部１６３」は「情報取得部２６１」に読み替えられ、「制御部１６５」は「制御部２６３」に読み替えられ、「処理部１６０」は「処理部２６０」に読み替えられる。
【０３５５】
＜８．４．処理の流れ＞
次に、図２０を参照して、第４の実施形態に係る処理の例を説明する。図２０は、第４の実施形態に係る処理の概略的な流れの一例を示すシーケンス図である。
【０３５６】
端末装置１００−４（測定部１６１）は、ビームフォーミング用の重みセットを用いて基地局により送信された測定用のリファレンス信号の端末装置１００−４における受信電力を測定する（Ｓ３６１）。また、端末装置１００−４（測定部１６１）は、物理ダウンリンク制御チャネル（ＰＤＣＣＨ）が配置されるシンボル（即ち、制御領域シンボル）内で送信される信号の端末装置１００−４における受信電力を測定する（Ｓ３６１）。
【０３５７】
そして、端末装置１００−４（制御部１７５）は、上記リファレンス信号の端末装置１００−４における上記受信電力を示す受信電力情報を、基地局２００−４に提供する（Ｓ３６３）。また、端末装置１００−４（制御部１７５）は、上記制御領域シンボル内で送信される信号の端末装置１００−４における上記受信電力を示すさらなる受信電力情報を、基地局２００−４にさらに提供する（Ｓ３６３）。
【０３５８】
その後、基地局２００−４は、受信品質算出処理を実行する（Ｓ３６５）。即ち、基地局２００−４（情報取得部２６１）は、ビームフォーミング用の重みセットを用いて対象基地局により送信された測定用のリファレンス信号の端末装置１００−４における受信電力を示す第１の受信電力情報を取得する。また、基地局２００−４（情報取得部２６１）は、物理ダウンリンク制御チャネルが配置されるシンボル（即ち、制御領域シンボル）内で送信される信号の端末装置１００−４における受信電力を示す第２の受信電力情報を取得する。そして、基地局２００−４（制御部２６３）は、上記第１の受信電力情報及び上記第２の受信電力情報に基づいて、上記対象基地局により送信された上記リファレンス信号の端末装置１００−４における受信品質を算出する。そして、処理は終了する。
【０３５９】
なお、上記受信品質算出処理の概略的な流れの一例は、例えば、主体の相違を除き、図１７を参照して説明した第３の実施形態に係る処理の概略的な流れの一例と同じである。第４の実施形態では、「情報取得部１６３」は「情報取得部２６１」に読み替えられ、「制御部１６５」は「制御部２６３」に読み替えられる。
【０３６０】
以上、第４の実施形態を説明した。第４の実施形態によれば、第３の実施形態と同様に、ビームフォーミングが行われる環境において端末装置１００−４のためにより望ましいセルを選択することが可能になる。
【０３６１】
また、第４の実施形態では、端末装置１００−４が、受信電力情報を基地局２００−４に提供し、基地局２００−４が、当該受信電力情報に基づいて上記受信品質を算出する。そのため、例えば、基地局２００−４は、受信品質情報を組み合わせることにより、様々な種類の受信品質を自由に算出することができる。
【０３６２】
＜＜９．応用例＞＞
本開示に係る技術は、様々な製品へ応用可能である。例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。さらに、基地局２００の少なくとも一部の構成要素は、基地局装置又は基地局装置のためのモジュールにおいて実現されてもよい。
【０３６３】
また、例えば、端末装置１００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置１００は、Ｍ２Ｍ（Machine  To  Machine）通信を行う端末（ＭＴＣ（Machine  Type  Communication）端末ともいう）として実現されてもよい。さらに、端末装置１００の少なくとも一部の構成要素は、これら端末に搭載されるモジュール（例えば、１つのダイで構成される集積回路モジュール）において実現されてもよい。
【０３６４】
＜９．１．基地局に関する応用例＞
（第１の応用例）
図２１は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０３６５】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２１に示したように複数のアンテナ８１０を有し、複数のアンテナ８１０は、例えばｅＮＢ８００が使用する複数の周波数帯域にそれぞれ対応してもよい。なお、図２１にはｅＮＢ８００が複数のアンテナ８１０を有する例を示したが、ｅＮＢ８００は単一のアンテナ８１０を有してもよい。
【０３６６】
基地局装置８２０は、コントローラ８２１、メモリ８２２、ネットワークインタフェース８２３及び無線通信インタフェース８２５を備える。
【０３６７】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３６８】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３６９】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３７０】
無線通信インタフェース８２５は、図２１に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２１に示したように複数のＲＦ回路８２７を含み、複数のＲＦ回路８２７は、例えば複数のアンテナ素子にそれぞれ対応してもよい。なお、図２１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３７１】
図２１に示したｅＮＢ８００において、図１４を参照して説明した情報取得部２５１及び制御部２５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて情報取得部２５１及び制御部２５３が実装されてもよい。この場合に、上記モジュールは、プロセッサを情報取得部２５１及び制御部２５３として機能させるためのプログラム（換言すると、プロセッサに情報取得部２５１及び制御部２５３の動作を実行させるためのプログラム）を記憶し、当該プログラムを実行してもよい。別の例として、プロセッサを情報取得部２５１及び制御部２５３として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、情報取得部２５１及び制御部２５３を備える装置としてｅＮＢ８００、基地局装置８２０又は上記モジュールが提供されてもよく、プロセッサを情報取得部２５１及び制御部２５３として機能させるためのプログラムが提供されてもよい。また、上記プログラムを記録した読み取り可能な記録媒体が提供されてもよい。これらの点については、図１９を参照して説明した情報取得部２６１及び制御部２６３も、情報取得部２５１及び制御部２５３と同様である。
【０３７２】
また、図２１に示したｅＮＢ８００において、図１４を参照して説明した無線通信部２２０は、無線通信インタフェース８２５（例えば、ＲＦ回路８２７）において実装されてもよい。また、アンテナ部２１０は、アンテナ８１０において実装されてもよい。また、ネットワーク通信部２３０は、コントローラ８２１及び／又はネットワークインタフェース８２３において実装されてもよい。
【０３７３】
（第２の応用例）
図２２は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３７４】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２２に示したように複数のアンテナ８４０を有し、複数のアンテナ８４０は、例えばｅＮＢ８３０が使用する複数の周波数帯域にそれぞれ対応してもよい。なお、図２２にはｅＮＢ８３０が複数のアンテナ８４０を有する例を示したが、ｅＮＢ８３０は単一のアンテナ８４０を有してもよい。
【０３７５】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２１を参照して説明したコントローラ８２１、メモリ８２２及びネットワークインタフェース８２３と同様のものである。
【０３７６】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２１を参照して説明したＢＢプロセッサ８２６と同様のものである。無線通信インタフェース８５５は、図２２に示したように複数のＢＢプロセッサ８５６を含み、複数のＢＢプロセッサ８５６は、例えばｅＮＢ８３０が使用する複数の周波数帯域にそれぞれ対応してもよい。なお、図２２には無線通信インタフェース８５５が複数のＢＢプロセッサ８５６を含む例を示したが、無線通信インタフェース８５５は単一のＢＢプロセッサ８５６を含んでもよい。
【０３７７】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３７８】
また、ＲＲＨ８６０は、接続インタフェース８６１及び無線通信インタフェース８６３を備える。
【０３７９】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３８０】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２２に示したように複数のＲＦ回路８６４を含み、複数のＲＦ回路８６４は、例えば複数のアンテナ素子にそれぞれ対応してもよい。なお、図２２には無線通信インタフェース８６３が複数のＲＦ回路８６４を含む例を示したが、無線通信インタフェース８６３は単一のＲＦ回路８６４を含んでもよい。
【０３８１】
図２２に示したｅＮＢ８３０において、図１４を参照して説明した情報取得部２５１及び制御部２５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて情報取得部２５１及び制御部２５３が実装されてもよい。この場合に、上記モジュールは、プロセッサを情報取得部２５１及び制御部２５３として機能させるためのプログラム（換言すると、プロセッサに情報取得部２５１及び制御部２５３の動作を実行させるためのプログラム）を記憶し、当該プログラムを実行してもよい。別の例として、プロセッサを情報取得部２５１及び制御部２５３として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、情報取得部２５１及び制御部２５３を備える装置としてｅＮＢ８３０、基地局装置８５０又は上記モジュールが提供されてもよく、プロセッサを情報取得部２５１及び制御部２５３として機能させるためのプログラムが提供されてもよい。また、上記プログラムを記録した読み取り可能な記録媒体が提供されてもよい。これらの点については、図１９を参照して説明した情報取得部２６１及び制御部２６３も、情報取得部２５１及び制御部２５３と同様である。
【０３８２】
また、図２２に示したｅＮＢ８３０において、例えば、図１４を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０３８３】
＜９．２．端末装置に関する応用例＞
（第１の応用例）
図２３は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３８４】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３８５】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３８６】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２３に示したように複数のＢＢプロセッサ９１３及び複数のＲＦ回路９１４を含んでもよい。なお、図２３には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３８７】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３８８】
アンテナスイッチ９１５の各々は、無線通信インタフェース９１２に含まれる複数の回路（例えば、異なる無線通信方式のための回路）の間でアンテナ９１６の接続先を切り替える。
【０３８９】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２３に示したように複数のアンテナ９１６を有してもよい。なお、図２３にはスマートフォン９００が複数のアンテナ９１６を有する例を示したが、スマートフォン９００は単一のアンテナ９１６を有してもよい。
【０３９０】
さらに、スマートフォン９００は、無線通信方式ごとにアンテナ９１６を備えてもよい。その場合に、アンテナスイッチ９１５は、スマートフォン９００の構成から省略されてもよい。
【０３９１】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２３に示したスマートフォン９００の各ブロックへ電力を供給する。補助コントローラ９１９は、例えば、スリープモードにおいて、スマートフォン９００の必要最低限の機能を動作させる。
【０３９２】
図２３に示したスマートフォン９００において、図１１を参照して説明した処理部１４０に含まれる１つ以上の構成要素（測定部１４１、情報取得部１４３及び／又は制御部１４５）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図１３を参照して説明した処理部１５０に含まれる１つ以上の構成要素（測定部１４１、情報取得部１５３及び／又は制御部１５５）、図１６を参照して説明した処理部１６０に含まれる１つ以上の構成要素（測定部１６１、情報取得部１６３及び／又は制御部１６５）、及び図１８を参照して説明した処理部１７０に含まれる１つ以上の構成要素（測定部１６１、情報取得部１７３及び／又は制御部１７５）も、処理部１４０に含まれる上記１つ以上の構成要素と同様である。
【０３９３】
また、図２３に示したスマートフォン９００において、例えば、図１１を参照して説明した無線通信部１２０は、無線通信インタフェース９１２（例えば、ＲＦ回路９１４）において実装されてもよい。また、アンテナ部１１０は、アンテナ９１６において実装されてもよい。
【０３９４】
（第２の応用例）
図２４は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３９５】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３９６】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３９７】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３９８】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２４に示したように複数のＢＢプロセッサ９３４及び複数のＲＦ回路９３５を含んでもよい。なお、図２４には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３９９】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０４００】
アンテナスイッチ９３６の各々は、無線通信インタフェース９３３に含まれる複数の回路（例えば、異なる無線通信方式のための回路）の間でアンテナ９３７の接続先を切り替える。
【０４０１】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２４に示したように複数のアンテナ９３７を有してもよい。なお、図２４にはカーナビゲーション装置９２０が複数のアンテナ９３７を有する例を示したが、カーナビゲーション装置９２０は単一のアンテナ９３７を有してもよい。
【０４０２】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０４０３】
バッテリー９３８は、図中に破線で部分的に示した給電ラインを介して、図２４に示したカーナビゲーション装置９２０の各ブロックへ電力を供給する。また、バッテリー９３８は、車両側から給電される電力を蓄積する。
【０４０４】
図２４に示したカーナビゲーション装置９２０において、図１１を参照して説明した処理部１４０に含まれる１つ以上の構成要素（測定部１４１、情報取得部１４３及び／又は制御部１４５）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図１３を参照して説明した処理部１５０に含まれる１つ以上の構成要素（測定部１４１、情報取得部１５３及び／又は制御部１５５）、図１６を参照して説明した処理部１６０に含まれる１つ以上の構成要素（測定部１６１、情報取得部１６３及び／又は制御部１６５）、及び図１８を参照して説明した処理部１７０に含まれる１つ以上の構成要素（測定部１６１、情報取得部１７３及び／又は制御部１７５）も、処理部１４０に含まれる上記１つ以上の構成要素と同様である。
【０４０５】
また、図２４に示したカーナビゲーション装置９２０において、例えば、図１１を参照して説明した無線通信部１２０は、無線通信インタフェース９３３（例えば、ＲＦ回路９３５）において実装されてもよい。また、アンテナ部１１０は、アンテナ９３７において実装されてもよい。
【０４０６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部１４０（又は、処理部１５０、処理部１６０若しくは処理部１７０）に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０４０７】
＜＜１０．まとめ＞＞
ここまで、図３〜図２４を参照して、本開示の実施形態に係る装置及び処理を説明した。
【０４０８】
（第１の実施形態及び第２の実施形態）
本開示に係る第１の実施形態及び第２の実施形態によれば、ビームフォーミング用の重みセットを用いて対象基地局により送信された測定用のリファレンス信号の端末装置１００における受信電力を示す第１の受信電力情報、及び、ビームフォーミング用の重みセットを用いて他の基地局により送信された測定用のリファレンス信号の端末装置１００における受信電力を示す第２の受信電力情報を取得する情報取得部と、上記第１の受信電力情報及び上記第２の受信電力情報に基づいて、上記対象基地局により送信された上記リファレンス信号の端末装置１００における受信品質を算出する制御部と、を備える装置が提供される。
【０４０９】
これにより、例えば、ビームフォーミングが行われる環境において端末装置１００のためにより望ましいセルを選択することが可能になる。
【０４１０】
より具体的には、例えば、対象基地局についての受信品質は、ビームフォーミングが行われる環境における対象基地局についての受信電力（即ち、第１の受信電力情報により示される受信電力）及び干渉（即ち、第２の受信電力情報により示される受信電力）に基づいて算出される。そのため、当該受信品質は、ビームフォーミングが行われる環境において端末装置１００が無線通信を行う場合の受信品質に近くなり得る。そして、当該受信品質が、ハンドオーバ又はセル選択／再選択の際に用いられ、その結果、端末装置１００のためのより望ましいセルが選択され得る。
【０４１１】
なお、第１の実施形態では、上記装置は、端末装置１００又は端末装置１００のためのモジュールである。また、第２の実施形態では、上記装置は、基地局２００、基地局２００のための基地局装置、又は当該基地局装置のためのモジュールである。
【０４１２】
（第３の実施形態及び第４の実施形態）
本開示に係る第３の実施形態及び第４の実施形態によれば、ビームフォーミング用の重みセットを用いて対象基地局により送信された測定用のリファレンス信号の端末装置１００における受信電力を示す第１の受信電力情報、及び、物理ダウンリンク制御チャネルが配置されるシンボル内で送信される信号の端末装置１００における受信電力を示す第２の受信電力情報を取得する情報取得部と、上記第１の受信電力情報及び上記第２の受信電力情報を用いて、上記対象基地局により送信された上記リファレンス信号の端末装置１００における受信品質を算出する制御部と、を備える装置が提供される。
【０４１３】
これにより、例えば、ビームフォーミングが行われる環境において端末装置１００のためにより望ましいセルを選択することが可能になる。
【０４１４】
より具体的には、例えば、対象基地局についての受信品質は、ビームフォーミングが行われる環境における対象基地局についての受信電力（即ち、第１の受信電力情報により示される受信電力）、並びに、安定した所望信号、干渉及び雑音（Ｓ＋Ｉ＋Ｎ）の受信電力（即ち、第２の受信電力情報により示される受信電力）に基づいて算出される。そのため、当該受信品質は、対象基地局の近隣の基地局が用いる重みセットによって大きく変動することはない。そして、当該受信品質が、ハンドオーバ又はセル選択／再選択の際に用いられ、その結果、端末装置１００のためのより望ましいセルが選択され得る。
【０４１５】
なお、第３の実施形態では、上記装置は、端末装置１００又は端末装置１００のためのモジュールである。また、第４の実施形態では、上記装置は、基地局２００、基地局２００のための基地局装置、又は当該基地局装置のためのモジュールである。
【０４１６】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０４１７】
例えば、通信システムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、他の通信規格に準拠したシステムであってもよい。
【０４１８】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０４１９】
また、本明細書の装置（例えば、端末装置、若しくは端末装置のためのモジュール、又は、基地局、基地局のための基地局装置、若しくは基地局装置のためのモジュール）に備えられるプロセッサ（例えば、ＣＰＵ、ＤＳＰなど）を上記装置の構成要素（例えば、情報取得部及び制御部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び制御部など）の動作を含む方法も、本開示に係る技術に含まれる。
【０４２０】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０４２１】
なお、以下のような構成も本開示の技術的範囲に属する。
（１）
ビームフォーミング用の重みセットを用いて対象基地局により送信された測定用のリファレンス信号の端末装置における受信電力を示す第１の受信電力情報、及び、ビームフォーミング用の重みセットを用いて他の基地局により送信された測定用のリファレンス信号の前記端末装置における受信電力を示す第２の受信電力情報を取得する取得部と、
前記第１の受信電力情報及び前記第２の受信電力情報に基づいて、前記対象基地局により送信された前記リファレンス信号の前記端末装置における受信品質を算出する制御部と、
を備える装置。
（２）
前記取得部は、複数の他の基地局の各々についての前記第２の受信電力情報を取得し、
前記制御部は、前記第１の受信電力情報、及び前記複数の他の基地局の各々ついての前記第２の受信電力情報に基づいて、前記受信品質を算出する、
前記（１）に記載の装置。
（３）
前記制御部は、前記第１の受信電力情報により示される第１の受信電力と、前記複数の他の基地局の各々ついての前記第２の受信電力情報に基づいて算出される第２の受信電力とに基づいて、前記受信品質を算出する、前記（２）に記載の装置。
（４）
前記取得部は、２つ以上の重みセットの各々の前記第２の受信電力情報を取得し、
前記制御部は、前記第１の受信電力情報、及び、前記２つ以上の重みセットの各々の前記第２の受信電力情報に基づいて、前記受信品質を算出する、
前記（１）〜（３）のいずれか１項に記載の装置。
（５）
前記制御部は、前記第１の受信電力情報により示される第１の受信電力と、前記２つ以上の重みセットの各々の前記第２の受信電力情報に基づいて算出される第２の受信電力とに基づいて、前記受信品質を算出する、前記（４）に記載の装置。
（６）
前記取得部は、複数の他の基地局の各々についての、２つ以上の重みセットの各々の前記第２の受信電力情報を取得し、
前記制御部は、前記第１の受信電力情報、及び、前記複数の他の基地局の各々ついての、前記２つ以上の重みセットの各々の前記第２の受信電力情報に基づいて、前記受信品質を算出する、
前記（１）〜（５）のいずれか１項に記載の装置。
（７）
前記制御部は、前記第１の受信電力情報により示される第１の受信電力と、前記複数の他の基地局の各々ついての前記２つ以上の重みセットの各々の前記第２の受信電力情報に基づいて算出される第２の受信電力とに基づいて、前記受信品質を算出する、前記（６）に記載の装置。
（８）
前記２つ以上の重みセットは、他の重みセットよりも前記端末装置においてより大きい受信電力をもたらす重みセットである、前記（４）〜（７）のいずれか１項に記載の装置。
（９）
前記２つ以上の重みセットは、指定された重みセットである、前記（４）〜（７）のいずれか１項に記載の装置。
（１０）
前記他の基地局により用いられる前記重みセットは、他の重みセットよりも前記端末装置においてより大きい受信電力をもたらす重みセットである、前記（２）又は（３）に記載の装置。
（１１）
前記他の基地局により用いられる前記重みセットは、指定された重みセットである、前記（２）又は（３）に記載の装置。
（１２）
前記第２の受信電力は、前記第２の受信電力情報により示される受信電力の和である、前記（３）、（５）又は（７）に記載の装置。
（１３）
前記制御部は、前記第１の受信電力及び前記第２の受信電力を用いた除算により、前記受信品質を算出する、前記（３）、（５）、（７）又は（１２）に記載の装置。
（１４）
ビームフォーミング用の重みセットを用いて対象基地局により送信された測定用のリファレンス信号の端末装置における受信電力を示す第１の受信電力情報、及び、物理ダウンリンク制御チャネルが配置されるシンボル内で送信される信号の前記端末装置における受信電力を示す第２の受信電力情報を取得する取得部と、
前記第１の受信電力情報及び前記第２の受信電力情報を用いて、前記対象基地局により送信された前記リファレンス信号の前記端末装置における受信品質を算出する制御部と、
を備える装置。
（１５）
前記制御部は、前記第１の受信電力情報により示される前記受信電力と前記第２の受信電力情報により示される前記受信電力とを用いた除算により、前記受信品質を算出する、前記（１４）に記載の装置。
（１６）
ビームフォーミング用の重みセットを用いて基地局により送信された測定用のリファレンス信号の端末装置における受信電力を示す受信電力情報を取得する取得部と、
前記受信電力情報を基地局に提供する制御部と、
を備える装置。
（１７）
前記取得部は、物理ダウンリンク制御チャネルが配置されるシンボル内で送信される信号の前記端末装置における受信電力を示すさらなる受信電力情報を取得し、
前記制御部は、前記さらなる受信電力情報を前記基地局にさらに提供する、
前記（１６）に記載の装置。
（１８）
前記装置は、前記端末装置、又は前記端末装置のためのモジュールである、前記（１）〜（１７）のいずれか１項に記載の装置。
（１９）
前記装置は、基地局、基地局のための基地局装置、又は当該基地局装置のためのモジュールである、前記（１）〜（１５）のいずれか１項に記載の装置。
（２０）
前記ビームフォーミングは、ラージスケールＭＩＭＯのビームフォーミングである、前記（１）〜（１９）のいずれか１項に記載の装置。
（２１）
ビームフォーミング用の重みセットを用いて対象基地局により送信された測定用のリファレンス信号の端末装置における受信電力を示す第１の受信電力情報、及び、ビームフォーミング用の重みセットを用いて他の基地局により送信された測定用のリファレンス信号の前記端末装置における受信電力を示す第２の受信電力情報を取得することと、
プロセッサにより、前記第１の受信電力情報及び前記第２の受信電力情報に基づいて、前記対象基地局により送信された前記リファレンス信号の前記端末装置における受信品質を算出することと、
を含む方法。
（２２）
ビームフォーミング用の重みセットを用いて対象基地局により送信された測定用のリファレンス信号の端末装置における受信電力を示す第１の受信電力情報、及び、ビームフォーミング用の重みセットを用いて他の基地局により送信された測定用のリファレンス信号の前記端末装置における受信電力を示す第２の受信電力情報を取得することと、
前記第１の受信電力情報及び前記第２の受信電力情報に基づいて、前記対象基地局により送信された前記リファレンス信号の前記端末装置における受信品質を算出することと、
をプロセッサに実行させるためのプログラム。
（２３）
ビームフォーミング用の重みセットを用いて対象基地局により送信された測定用のリファレンス信号の端末装置における受信電力を示す第１の受信電力情報、及び、ビームフォーミング用の重みセットを用いて他の基地局により送信された測定用のリファレンス信号の前記端末装置における受信電力を示す第２の受信電力情報を取得することと、
前記第１の受信電力情報及び前記第２の受信電力情報に基づいて、前記対象基地局により送信された前記リファレンス信号の前記端末装置における受信品質を算出することと、
をプロセッサに実行させるためのプログラムを記録した読み取り可能な記録媒体。
（２４）
ビームフォーミング用の重みセットを用いて対象基地局により送信された測定用のリファレンス信号の端末装置における受信電力を示す第１の受信電力情報、及び、物理ダウンリンク制御チャネルが配置されるシンボル内で送信される信号の前記端末装置における受信電力を示す第２の受信電力情報を取得することと、
プロセッサにより、前記第１の受信電力情報及び前記第２の受信電力情報を用いて、前記対象基地局により送信された前記リファレンス信号の前記端末装置における受信品質を算出することと、
を含む方法。
（２５）
ビームフォーミング用の重みセットを用いて対象基地局により送信された測定用のリファレンス信号の端末装置における受信電力を示す第１の受信電力情報、及び、物理ダウンリンク制御チャネルが配置されるシンボル内で送信される信号の前記端末装置における受信電力を示す第２の受信電力情報を取得することと、
前記第１の受信電力情報及び前記第２の受信電力情報を用いて、前記対象基地局により送信された前記リファレンス信号の前記端末装置における受信品質を算出することと、
をプロセッサに実行させるためのプログラム。
（２６）
ビームフォーミング用の重みセットを用いて対象基地局により送信された測定用のリファレンス信号の端末装置における受信電力を示す第１の受信電力情報、及び、物理ダウンリンク制御チャネルが配置されるシンボル内で送信される信号の前記端末装置における受信電力を示す第２の受信電力情報を取得することと、
前記第１の受信電力情報及び前記第２の受信電力情報を用いて、前記対象基地局により送信された前記リファレンス信号の前記端末装置における受信品質を算出することと、
をプロセッサに実行させるためのプログラムを記録した読み取り可能な記録媒体。
（２７）
ビームフォーミング用の重みセットを用いて基地局により送信された測定用のリファレンス信号の端末装置における受信電力を示す受信電力情報を取得することと、
プロセッサにより、前記受信電力情報を基地局に提供することと、
を含む方法。
（２８）
ビームフォーミング用の重みセットを用いて基地局により送信された測定用のリファレンス信号の端末装置における受信電力を示す受信電力情報を取得することと、
前記受信電力情報を基地局に提供することと、
をプロセッサに実行させるためのプログラム。
（２９）
ビームフォーミング用の重みセットを用いて基地局により送信された測定用のリファレンス信号の端末装置における受信電力を示す受信電力情報を取得することと、
前記受信電力情報を基地局に提供することと、
をプロセッサに実行させるためのプログラムを記録した読み取り可能な記録媒体。
【符号の説明】
【０４２２】
１                              通信システム
３０                            サブフレーム
３１                            制御領域
３３                            データ領域
１００                          端末装置
１４３、１５３、１６３、１７３  情報取得部
１４５、１５５、１６５、１７５  制御部
２００                          端末装置
２５１、２６１                  情報取得部
２５３、２６３                  制御部
【図１】
2015182292.tif 000038
【図２】
2015182292.tif 000039
【図３】
2015182292.tif 000040
【図４】
2015182292.tif 000041
【図５】
2015182292.tif 000042
【図６】
2015182292.tif 000043
【図７】
2015182292.tif 000044
【図８】
2015182292.tif 000045
【図９】
2015182292.tif 000046
【図１０】
2015182292.tif 000047
【図１１】
2015182292.tif 000048
【図１２】
2015182292.tif 000049
【図１３】
2015182292.tif 000050
【図１４】
2015182292.tif 000051
【図１５】
2015182292.tif 000052
【図１６】
2015182292.tif 000053
【図１７】
2015182292.tif 000054
【図１８】
2015182292.tif 000055
【図１９】
2015182292.tif 000056
【図２０】
2015182292.tif 000057
【図２１】
2015182292.tif 000058
【図２２】
2015182292.tif 000059
【図２３】
2015182292.tif 000060
【図２４】
2015182292.tif 000061
【国際調査報告】
2015182292.tif 000062
2015182292.tif 000063
2015182292.tif 000064
2015182292.tif 000065